(57)【要約】【課題】複数台の明るさ制御端末を連動させて、ランプ負荷を制御することのできる照明制御システムを提供する。【解決手段】通信線１に接続され、通信線１を介して入力された制御信号に基づいてランプの光出力を制御するランプ制御手段を具備した複数のランプ負荷Ｌ１…と、通信線１に接続され、対応するランプ負荷Ｌ１…の光出力を制御する制御信号を通信線１に送出する複数の明るさ制御端末Ａ１…とで構成される照明制御システムにおいて、複数の明るさ制御端末Ａ１…で１つのグループを構成して、その内の一台（明るさ制御端末Ａ１）を親機とし、他の明るさ制御端末Ａ２，Ａｎを子機とする。ここで、親機である明るさ制御端末Ａ１では、子機である明るさ制御端末Ａ２，Ａｎから出力された複数の制御信号と、自己の制御信号とをもとに統一した制御信号を作成し、対応するランプ負荷Ｌ１…に出力する。【選択図】　　　図１
2004063218.tif 000002
【特許請求の範囲】
【請求項１】
アドレスが割り当てられ、通信線に接続され、通信線を介して入力された制御信号に基づいてランプの光出力を制御するランプ制御手段を具備した複数のランプ負荷と、アドレスが割り当てられ、通信線に接続され、対応するランプ負荷の光出力を制御する制御信号を通信線に送出する複数の明るさ制御端末とで構成され、ランプ負荷及び明るさ制御端末に信号を送信する際は送信先のアドレスとともに信号を送信することで送信先を特定して通信を行う照明制御システムにおいて、
複数の明るさ制御端末で１つのグループを構成し、同じグループに属する明るさ制御端末から出力された複数の制御信号をもとに、グループ内で統一した制御信号を作成し、この制御信号に基づいて対応するランプ負荷を動作させる連動手段を設けたことを特徴とする照明制御システム。
【請求項２】
各々の明るさ制御端末は、自局の制御範囲における明るさを検出する明るさ入力手段を備え、明るさセンサの検出結果が目標値よりも暗い場合は制御信号として対応するランプ負荷の光出力を明るくするＵＰ要求を出力するとともに、目標値よりも明るい場合は制御信号として光出力を暗くするＤＯＷＮ要求を出力しており、上記連動手段は、グループ内の何れかの明るさ制御端末から制御信号が出力された時点より所定時間が経過するまでの間に、同じグループに属する明るさ制御端末から出力されたＵＰ要求及びＤＯＷＮ要求の数をそれぞれカウントするカウント手段を備え、カウント手段のカウントしたＤＯＷＮ要求の数がＵＰ要求の数よりも多く、且つ、同じグループ内で制御信号を出力した明るさ制御端末の数が出力しなかった明るさ制御端末の数よりも多ければ、ＤＯＷＮ要求を統一した制御信号とし、ＵＰ要求の数がＤＯＷＮ要求の数よりも多く、且つ、同じグループ内で制御信号を出力した明るさ制御端末の数が出力しなかった明るさ制御端末の数よりも多ければ、ＵＰ要求を統一した制御信号とすることを特徴とする請求項１記載の照明制御システム。
【請求項３】
各々の明るさ制御端末は、自局の制御範囲における明るさを検出する明るさ入力手段を備え、明るさセンサの検出結果が目標値よりも暗い場合は制御信号として対応するランプ負荷の光出力を明るくするＵＰ要求を、目標値よりも明るい場合は制御信号として光出力を暗くするＤＯＷＮ要求を、目標値と略同じ場合は制御信号として現状の光出力を維持するＳＴＡＹ要求を出力しており、上記連動手段は、グループ内の何れかの明るさ制御端末から制御信号が出力された時点より所定時間が経過するまでの間に、同じグループに属する明るさ制御端末から出力されたＵＰ要求、ＤＯＷＮ要求及びＳＴＡＹ要求の数をそれぞれカウントするカウント手段を備え、カウント手段のカウントしたＤＯＷＮ要求の数がＵＰ要求の数よりも多く、且つ、ＤＯＷＮ要求の数がＳＴＡＹ要求の数よりも多ければ、ＤＯＷＮ要求を統一した制御信号とし、ＵＰ要求の数がＤＯＷＮ要求の数よりも多く、且つ、ＵＰ要求の数がＳＴＡＹ要求の数よりも多ければ、ＵＰ要求を統一した制御信号とし、上記の条件が何れも成立しない場合はＳＴＡＹ要求を統一した制御信号とすることを特徴とする請求項１記載の照明制御システム。
【請求項４】
連動して動作させる複数の明るさ制御端末からなるグループと、前記グループに属する明るさ制御端末に対応した複数のランプ負荷からなるグループとに、各々のグループを特定するための別個のグループアドレスを設定し、各明るさ制御端末が所属するグループ内の明るさ制御端末に信号を送出する際は、明るさ制御端末のグループに割り当てられたグループアドレスとともに信号を送出し、連動手段が、統一した制御信号を送出する際はランプ負荷のグループアドレスとともに制御信号を送出することを特徴とする請求項１乃至請求項３の何れか１つに記載の照明制御システム。
【発明の詳細な説明】
【０００１】
【発明の属する技術分野】
本発明は、それぞれランプ負荷の明るさを制御する複数の明るさ制御端末を連動して動作させる照明制御システムに関するものである。
【０００２】
【従来の技術】
従来より、図２２に示されるように、所定の制御範囲における明るさを検出する明るさセンサ５２、及び、明るさセンサ５２により検出された照明空間の明るさと、記憶手段に記憶されている所望の明るさの設定値とを随時比較して、所定の制御範囲における明るさが予め設定された一定の明るさとなるように、照明器具５３の明るさを制御する制御手段５１を備えた明るさ制御装置５０と、明るさ制御装置５０から入力された制御信号に応じてランプの光出力を制御する複数台の照明器具５２とで構成される照明制御システムが提供されている（例えば特開平８−２５０２８５号公報参照）。この照明制御システムは、明るさ制御装置５０が自局の明るさセンサ５２を用いて照明器具５３の明るさをスタンドアローンで制御するものである。
【０００３】
また、このような明るさ制御装置５０を親機として、この親機に専用線を介して明るさセンサを有する子機を接続し、親機側で、親機及び子機にそれぞれ設けた明るさセンサの検出結果をもとに、親機の照明器具５３及び子機への制御信号を別個に決定したり、両者の検出結果の平均値を算出するなどして、親機の照明器具５３と子機とに同一の制御信号を出力するものも考えられる。
【０００４】
なお、明るさセンサ５２は、例えばフォトダイオードなどの光−電流変換、或いは光−電圧変換を行うセンサからなり、照明空間の明るさに応じたアナログ値、或いはそのアナログ値を変換テーブルなどを用いて照度値に変換するのであればその照度値を表すデジタル信号を子機から親機へ送信するようになっている。
【０００５】
【発明が解決しようとする課題】
上述した従来の照明制御システムでは、制御手段５１が、明るさセンサ５２により検出された制御範囲の明るさと、記憶手段に記憶されている所望の明るさの設定値とを随時比較し、制御範囲の明るさが所定の明るさとなるように複数台の照明器具５３の明るさを一括して制御するのであるが、明るさセンサ５２の検知範囲は限られているので、広い照明空間で使用する場合には、複数台の照明器具５３をグループ分けして、各グループ毎に明るさ制御装置５０を１台づつ設置する必要がある。
【０００６】
しかしながら、各明るさ制御装置５０は、各々が備える明るさセンサ５２の検出結果をもとに、独立してフィードバック制御を行っているので、各明るさ制御装置５０で制御される照明器具５３の明るさがばらついてしまい、複数台の明るさ制御装置５０を連動させて照明器具５３を制御することはできなかった。
【０００７】
また、図２３は明るさセンサ５２としてフォトトランジスタを用いた場合の明るさ制御装置５０の内部回路図であり、制御範囲の明るさに応じた電流を発生する明るさセンサ５２としてのフォトトランジスタＴ１と、フォトトランジスタＴ１の出力を増幅するアンプ（Ａｍｐ）ＯＰ２と、アンプＯＰ２からのアナログ信号をデジタル信号に変換するＡ／Ｄコンバータ５４と、制御手段５１を構成しＡ／Ｄコンバータ５４の出力が入力されるマイクロコンピュータ５５とで構成される。
【０００８】
ここで、上述の明るさ制御装置５０を複数台設置して、その内の１台を親機、残りを子機とし、この親機に明るさセンサを備える複数の子機を接続し、各々の子機が備える明るさセンサのアナログ出力を親機に出力する場合は、図２４に示すように親機及び子機の備えるフォトトランジスタＴ１，Ｔ２…ＴｎをアンプＯＰ２の入力端子間に並列接続するか、図２５に示すようにフォトトランジスタＴ１，Ｔ２…ＴｎをアンプＯＰ２の入力端子間に直列接続している。
【０００９】
図２４に示すように、ｎ個（ｎは３以上の整数）のフォトトランジスタＴ１…を並列接続する場合は、ｎ個のフォトトランジスタＴ１…の出力電流の総和がアンプＯＰ２に入力されることになるので、出力レンジを１／ｎに落とすためにアンプＯＰ２の出力段に１／ｎの除算器５６を設ける必要があるが、接続する子機の総数ｎが予め明確でないと出力レンジを落とす除算器５６を設定できないという問題がある。
【００１０】
また、図２５に示すように、ｎ個のフォトトランジスタＴ１…を直列接続する場合は、全体の出力電流が、ｎ個のフォトトランジスタＴ１…の内で出力電流が最小のものに制限されることになり、また、各フォトトランジスタＴ１…を接続するために準備しておいた端子間に、何れかのフォトトランジスタが接続されなかた場合、その端子間を直結しなければ、出力が得られないという問題があった。
【００１１】
また、複数台の子機は親機に従属して設けられているので、レイアウト変更などで設定を変更する場合には、配線工事が必要になるという問題もあった。
【００１２】
さらに、各子機から親機へ照度値がデジタル信号により送信される場合、各子機が制御する照明器具の調光テーブルと、明るさセンサの照度値とを用いて調光演算する必要があるが、このような演算を親機で行うと、親機の制御手段に過大な負荷がかかることになり、そのため制御手段を高機能のマイクロコンピュータで構成する必要があり、コストアップの要因となるという問題があった。
【００１３】
本発明は上記問題点に鑑みて為されたものであり、その目的とするところは、複数台の明るさ制御端末を連動させて、ランプ負荷を制御することのできる照明制御システムを提供するにある。
【００１４】
【課題を解決するための手段】
上記目的を達成するために、請求項１の発明では、アドレスが割り当てられ、通信線に接続され、通信線を介して入力された制御信号に基づいてランプの光出力を制御するランプ制御手段を具備した複数のランプ負荷と、アドレスが割り当てられ、通信線に接続され、対応するランプ負荷の光出力を制御する制御信号を通信線に送出する複数の明るさ制御端末とで構成され、ランプ負荷及び明るさ制御端末に信号を送信する際は送信先のアドレスとともに信号を送信することで送信先を特定して通信を行う照明制御システムにおいて、複数の明るさ制御端末で１つのグループを構成し、同じグループに属する明るさ制御端末から出力された複数の制御信号をもとに、グループ内で統一した制御信号を作成し、この制御信号に基づいて対応するランプ負荷を動作させる連動手段を設けたことを特徴とする。
【００１５】
請求項２の発明では、請求項１の発明において、各々の明るさ制御端末は、自局の制御範囲における明るさを検出する明るさ入力手段を備え、明るさセンサの検出結果が目標値よりも暗い場合は制御信号として対応するランプ負荷の光出力を明るくするＵＰ要求を出力するとともに、目標値よりも明るい場合は制御信号として光出力を暗くするＤＯＷＮ要求を出力しており、上記連動手段は、グループ内の何れかの明るさ制御端末から制御信号が出力された時点より所定時間が経過するまでの間に、同じグループに属する明るさ制御端末から出力されたＵＰ要求及びＤＯＷＮ要求の数をそれぞれカウントするカウント手段を備え、カウント手段のカウントしたＤＯＷＮ要求の数がＵＰ要求の数よりも多く、且つ、同じグループ内で制御信号を出力した明るさ制御端末の数が出力しなかった明るさ制御端末の数よりも多ければ、ＤＯＷＮ要求を統一した制御信号とし、ＵＰ要求の数がＤＯＷＮ要求の数よりも多く、且つ、同じグループ内で制御信号を出力した明るさ制御端末の数が出力しなかった明るさ制御端末の数よりも多ければ、ＵＰ要求を統一した制御信号とすることを特徴とする。
【００１６】
請求項３の発明では、請求項１の発明において、各々の明るさ制御端末は、自局の制御範囲における明るさを検出する明るさ入力手段を備え、明るさセンサの検出結果が目標値よりも暗い場合は制御信号として対応するランプ負荷の光出力を明るくするＵＰ要求を、目標値よりも明るい場合は制御信号として光出力を暗くするＤＯＷＮ要求を、目標値と略同じ場合は制御信号として現状の光出力を維持するＳＴＡＹ要求を出力しており、上記連動手段は、グループ内の何れかの明るさ制御端末から制御信号が出力された時点より所定時間が経過するまでの間に、同じグループに属する明るさ制御端末から出力されたＵＰ要求、ＤＯＷＮ要求及びＳＴＡＹ要求の数をそれぞれカウントするカウント手段を備え、カウント手段のカウントしたＤＯＷＮ要求の数がＵＰ要求の数よりも多く、且つ、ＤＯＷＮ要求の数がＳＴＡＹ要求の数よりも多ければ、ＤＯＷＮ要求を統一した制御信号とし、ＵＰ要求の数がＤＯＷＮ要求の数よりも多く、且つ、ＵＰ要求の数がＳＴＡＹ要求の数よりも多ければ、ＵＰ要求を統一した制御信号とし、上記の条件が何れも成立しない場合はＳＴＡＹ要求を統一した制御信号とすることを特徴とする。
【００１７】
請求項４の発明では、請求項１乃至請求項３の何れか１つの発明において、連動して動作させる複数の明るさ制御端末からなるグループと、前記グループに属する明るさ制御端末に対応した複数のランプ負荷からなるグループとに、各々のグループを特定するための別個のグループアドレスを設定し、各明るさ制御端末が所属するグループ内の明るさ制御端末に信号を送出する際は、明るさ制御端末のグループに割り当てられたグループアドレスとともに信号を送出し、連動手段が、統一した制御信号を送出する際はランプ負荷のグループアドレスとともに制御信号を送出することを特徴とする。
【００１８】
【発明の実施の形態】
以下に本発明の実施の形態を図面を参照して説明する。
【００１９】
（実施形態１）
図１は本実施形態の照明制御システムの全体構成図であり、複数台（例えば３台）の明るさ制御端末Ａ１，Ａ２，Ａｎと、複数台（例えば３台）のランプ負荷Ｌ１，Ｌ２，Ｌｍとが２本の通信線１に接続されている。また、複数台の明るさ制御端末Ａ１，Ａ２，Ａｎと、複数台のランプ負荷Ｌ１，Ｌ２，Ｌｍには電源線２を介して商用電源ＡＣが供給されている。
【００２０】
図２はランプ負荷Ｌ１のブロック図を示しており、ランプ負荷Ｌ１は、通信線１を介して明るさ制御端末Ａ１との間で通信を行う通信手段１１と、ＲＯＭ又はＲＡＭからなるアドレス＆コマンド記憶手段１２と、蛍光灯のようなランプ１３と、調光機能を有する電子安定器からなり、通信手段１１の受信した制御信号に応じてランプ１３の光出力を制御するランプ制御手段１４とで構成される。尚、他のランプ負荷Ｌ２，Ｌｍも、ランプ負荷Ｌ１と同様の構成を有しているので、その説明は省略する。また、図２では電源線２を省略して図示してある。
【００２１】
各ランプ負荷Ｌ１…には、それぞれ自局の個別アドレスと、複数のランプ負荷Ｌ１…の動作を一括して制御する場合に用いるグループアドレスとが割り当てられており、個別アドレス及びグループアドレスはアドレス＆コマンド記憶手段１２に書き込まれている。例えば、ランプ負荷Ｌｍの場合には、個別アドレスとして「ｍｕ」が、またグループアドレスとして「ｍｇ」がアドレス＆コマンド記憶手段１２に書き込まれている。また、アドレス＆コマンド記憶手段１２には、明るさ制御端末Ａ１…との間の通信で使用するコマンド（制御信号）も書き込まれており、例えばランプ１３を消灯（ＯＦＦ）させるコマンドとして「０」が、調光レベルを明るく（ＵＰ）するコマンドとして「１」が、調光レベルを暗く（ＤＯＷＮ）するコマンドとして「２」が、ランプ１３を点灯させるコマンドとして「３」が記憶されている。
【００２２】
ここで、明るさ制御端末Ａ１…からランプ負荷Ｌ１…へ信号を送信する際には、図５に示すフォーマットの信号が用いられる。この信号は、信号の送出開始を示す開始符号ＳＴＲと、送信先のランプ負荷Ｌ１…を各別に或いはグループ単位で指定するためのアドレスデータＡＤと、制御データ又は制御コマンドからなるデータ＆コマンドＣＤと、信号の終わりを示す停止符号ＳＴＰとで構成される。また明るさ制御端末Ａ１…の間で信号を送信する際には、図６に示すフォーマットの信号が用いられ、この信号は開始符号ＳＴＲと、アドレスデータＡＤと、コマンドデータＣＭＤと、制御データＤＡＴと、停止符号ＳＴＰとで構成される。尚、アドレスデータＡＤは例えば８ビットのデータからなり、最上位ビットが「１」の時は下位７ビットがグループアドレスを示し、最上位ビットが「０」の時は下位７ビットが個別アドレスを示すものとする。また、アドレスデータＡＤは送信先のアドレスのみからなり、送信元のアドレスは含まれていない。
【００２３】
而して、各ランプ負荷Ｌ１…では、通信手段１１が上記フォーマットの信号を受信すると、アドレスデータＡＤの内容をアドレス＆コマンド記憶手段１２に記憶された自局の個別アドレス又はグループアドレスと比較し、一致した場合はその後のデータＣＤからデータ或いはコマンドを読み込んで、ランプ制御手段１４に出力し、ランプ制御手段１４がその信号にしたがってランプ１３を制御している。例えば、ランプ負荷Ｌｍの通信手段１１が「開始符号」「ｍｇ」「１」「停止符号」という内容の信号を受信した場合は、調光レベルを現状よりも明るくさせる制御信号をランプ制御手段１４に出力する。また、受信した信号のアドレスデータＡＤが「ｍｇ」又は「ｍｕ」以外であれば、受信した信号を破棄する。尚、通信手段１１からランプ制御手段１４に出力される制御信号としては、デューティ信号や直流の電圧信号などの信号を用いれば良い。
【００２４】
次に、明るさ制御端末Ａ１の構成を図３のブロック図を参照して説明する。尚、他の明るさ制御端末Ａ２，Ａｎも、明るさ制御端末Ａ１と同様の構成を有しているので、その説明は省略する。
【００２５】
明るさ制御端末Ａ１は、通信線１を介して通信を行う通信手段２１と、自局のアドレスと通信で使用されるコマンドとを記憶するアドレス＆コマンド記憶手段２２と、明るさの目標値を記憶する明るさ目標記憶手段２３と、ランプ負荷Ｌ１…及び明るさ制御端末Ａ１…のグループ構成が予め書き込まれたグループ構成記憶手段２４と、自局の制御範囲における現在の明るさを入力する明るさ入力手段２５と、明るさ目標記憶手段２３に記憶された明るさの目標値と明るさ入力手段２５から入力された実際の明るさとを随時比較して対応するランプ負荷Ｌ１…の光出力を制御する制御信号を出力する負荷制御手段２６と、他の明るさ制御端末Ａ２〜Ａｎから送信された制御信号と自局の負荷制御手段２６から出力された制御信号とを種類別にカウントするコマンドカウント手段２７と、コマンドカウント手段２７がカウント動作を行う一定時間を限時するコマンド受信タイマ手段２８と、コマンドカウント手段２７のカウント結果に基づいて制御対象のグループに属するランプ負荷Ｌ１…に出力する制御信号を決定する連動手段としての判断手段２９とで構成される。ここに、アドレス＆コマンド記憶手段２２、明るさ目標記憶手段２３及びグループ構成記憶手段２４はＲＯＭ又はＲＡＭからなり、負荷制御手段２６、コマンドカウント手段２７及び判断手段２９はマイクロコンピュータの演算機能により実現される。尚、明るさ制御端末Ａ１…を子機として使用する場合には、コマンドカウント手段２７、コマンド受信タイマ手段２８及び判断手段２９の動作は停止させる。
【００２６】
また、図４は明るさ入力手段２５の構成を示しており、フォトダイオードＰＤが照明空間の明るさに応じた電流を発生すると、抵抗Ｒ１とオペアンプＯＰ１とで構成される電流−電圧変換回路により電流値に比例した電圧信号に変換され、変換された電圧信号をＡ／Ｄコンバータ２５ａで８ビットや１０ビットのデジタル信号に変換した後、負荷制御手段２６に出力するようになっている。
【００２７】
ここで、各々の明るさ制御端末Ａ１…は、グループ構成記憶手段２４に記憶されたグループ構成から、予めどのグループに何台の明るさ制御端末が存在するかを把握することができ、また各グループの中で親機となる明るさ制御端末を１台だけ設定してある。これは、各明るさ制御端末Ａ１…に親子を決めるスイッチを設けておくことで設定が可能である。
【００２８】
例えば明るさ制御端末Ａ１をグループＧ１の親機、明るさ制御端末Ａ２，ＡｎをグループＧ１の子機とすると、子機である明るさ制御端末Ａ２，Ａｎの負荷制御手段２６では、それぞれ以下のような処理を実行する。すなわち、負荷制御手段２６は、明るさ入力手段２５から入力された実際の明るさと、明るさ目標記憶手段２３に記憶された目標値とを随時比較しており、実際の明るさが目標値よりも明るい場合は通信手段２１よりランプ負荷の調光レベルを暗くさせる制御信号（以下、この制御信号をＤＯＷＮ要求と言う。）を出力させ、目標値よりも暗い場合は通信手段２１よりランプ負荷の調光レベルを明るくさせる制御信号（以下、この制御信号をＵＰ要求と言う。）を出力させる。
【００２９】
ここで、子機である明るさ制御端末Ａ２が、現状の明るさを計測して、「開始符号」「１２９」「０」「１」「停止符号」なるＵＰ要求を出力したとする。尚、この信号中の「０」は明るさ制御端末に出力した信号であることを示している。
【００３０】
別の子機である明るさ制御端末Ａｎでは、明るさ制御端末Ａ２からの制御信号を受信すると、自局の明るさ入力手段２５の検出した明るさと目標値との明暗を比較して、ＵＰ要求かＤＯＷＮ要求かを決定し、ＵＰ要求の場合には通信手段２１から「開始符号」「１２９」「０」「１」「停止符号」なる信号を出力させ、ＤＯＷＮ要求の場合には通信手段２１から「開始符号」「１２９」「０」「２」「停止符号」なる信号を出力させる。また、明るさ入力手段２５の検出した明るさが目標値と略同じ場合は通信手段２１から信号を送信しないようになっている。尚、ランプ負荷Ｌ１…も明るさ制御端末Ａ２から送信された制御信号を受信するが、ランプ負荷Ｌ１…に宛てた信号のフォーマットと異なっているので、受信した信号を破棄するようになっている。
【００３１】
また、親機である明るさ制御端末Ａ１は、明るさ制御端末Ａ２から出力された制御信号を通信手段２１が受信すると、コマンドカウント手段２７がその制御信号をカウントするとともに、コマンド受信タイマ手段２８を起動する。コマンドカウント手段２７は、コマンド受信タイマ手段２８の限時動作中に同じグループに属する明るさ制御端末Ａ２…から受信した制御信号をカウントしており、コマンド受信タイマ手段２８による一定時間の限時動作が終了した時点で、自局の明るさ入力手段２５の検出結果をもとに負荷制御手段２６がＵＰ要求かＤＯＷＮ要求かを決定して、その結果をコマンドカウント手段２７がカウントする。このように、コマンドカウント手段２７は、自局も含めて同じグループに属する全ての明るさ制御端末Ａ１…から一定時間内に出力された制御信号をカウントしており、そのカウント結果をもとに判断手段２９が後述の判断処理を行って、グループ内の統一した制御信号をＵＰ要求、ＤＯＷＮ要求或いは現状維持の何れかに決定する。
【００３２】
例えば、別の子機である明るさ制御端末ＡｎからもＵＰ要求が送信された場合、親機である明るさ制御端末Ａ１が、コマンド受信タイマ手段２８の限時動作中に明るさ制御端末ＡｎからのＵＰ要求を受信したとすると、コマンドカウント手段２７のカウントしたＵＰ要求の数が２つになる。この時、グループＧ１内の全ての子機から要求信号を受信できたので、親機である明るさ制御端末Ａ１の判断処理部２９はコマンド受信タイマ手段２８の限時動作を終了させ、負荷制御手段２６により明るさ入力手段２５の出力をもとにＵＰ要求かＤＯＷＮ要求かを判断させる。ここで、負荷制御手段２６の出力がＵＰ要求であれば、同じグループに属する３つの明るさ制御端末Ａ１…が全てＵＰ要求を出力したことになるので、判断手段２９は、通信手段２１から制御対象のランプ負荷Ｌ１，Ｌ２，Ｌｍに対して、「開始符号」「１２９」「１」「停止信号」のようなＵＰ要求信号を出力させる。また、明るさ制御端末Ａｎの負荷制御手段２６が現状維持と判断して、要求信号を出力しなかった場合、親機である明るさ制御端末Ａ１は、一定時間の経過後にコマンド受信タイマ手段２８を停止させ、判断手段２９により以下の判定を行う。
【００３３】
すなわち、親機である明るさ制御端末Ａ１の属するグループＧ１内の全ての明るさ制御端末（自局を含む）の台数をＪ、コマンドカウント手段２７によりカウントされた（つまり、同じグループ内の明るさ制御端末（自局を含む）から出力された）制御信号の数をＫ（ＵＰ要求の数とＤＯＷＮ要求の数の和）とすると、同じグループ内で制御信号を出力した明るさ制御端末の数（Ｋ）が出力しなかった明るさ制御端末の数（Ｊ−Ｋ）よりも多く（すなわち、Ｊ−Ｋ＜Ｋ）、且つ、（ＤＯＷＮ要求の数）＞（ＵＰ要求の数）であればランプ負荷Ｌ１…にＤＯＷＮ要求を、Ｊ−Ｋ＜Ｋ、且つ、（ＤＯＷＮ要求の数）＜（ＵＰ要求の数）であればＵＰ要求を送信し、上記の条件が何れも成立しなければコマンドを送信しない。
【００３４】
また、子機である明るさ制御端末Ａ２，ＡｎからＵＰ要求又はＤＯＷＮ要求の何れも受信していない場合に、親機である明るさ制御端末Ａ１の負荷制御手段２６がＤＯＷＮ要求又はＵＰ要求を発生した場合には、親機である明るさ制御端末Ａ１が図５に示すフォーマットで信号を出力するようにすれば、この信号に応じて子機である明るさ制御端末Ａ２，Ａｎに上述の制御動作を行わせることができ、また同時にコマンド受信タイマ手段２８による限時動作を開始させて、限時動作中にコマンドカウント手段２７がカウント動作を行うことで、一定時間が経過した時点で判断手段２９により上述の判断処理を行わせることができる。
【００３５】
このように、本実施形態では親機である明るさ制御端末Ａ１の判断手段２９に連動手段の機能を持たせており、同じグループ内の明るさ制御端末Ａ１…から出力された制御信号の内、最も数が多い種類の制御信号をグループ内の統一した制御信号として、制御対象のランプ負荷Ｌ１…の動作を制御しているので、複数の明るさ制御端末Ａ１…を連動して動作させることができ、各々の明るさ制御端末Ａ１…で制御されるランプ負荷Ｌ１…の明るさがばらつくのを防止できる。また、各明るさ制御端末Ａ１…で明るさの目標値に対して明るいか暗いかを判定させて、ＵＰ要求又はＤＯＷＮ要求を出力させており、連動手段としての判断手段２９では、コマンドカウント手段２７のカウント値をもとに最も数の多い要求信号を統一した制御信号としているので、複雑な演算を行う必要がなく、演算能力の低い安価なマイコンで連動手段を構成できる。
【００３６】
（実施形態２）
本発明の実施形態２を図７及び図８を参照して説明する。実施形態１では同じグループに属する明るさ制御端末Ａ１…の内の１台を親機として用いているが、本実施形態では専用の親機Ｂを設け、複数台（例えば２台）の明るさ制御端末Ａ１，Ａｎと親機Ｂと複数台（例えば２台）のランプ負荷Ｌ１…とを通信線１に接続するとともに、明るさ制御端末Ａ１…と親機Ｂとランプ負荷Ｌ１…とに電源線２を介して商用電源ＡＣを供給している。尚、明るさ制御端末Ａ１…及びランプ負荷Ｌ１…の構成は実施形態１と同様であるので、同一の構成要素には同一の符号を付して、その説明は省略する。また、明るさ制御端末Ａ１…には親子の区別はなく、実施形態１で説明した子機と同様の動作を行う。
【００３７】
図８は親機Ｂの構成を示しており、通信線１を介して通信を行う通信手段３１と、自己のアドレスと通信で使用されるコマンドとを記憶するアドレス＆コマンド記憶手段３２と、全てのランプ負荷Ｌ１…及び明るさ制御端末Ａ１…のグループ構成が予め書き込まれたグループ構成記憶手段３３と、明るさ制御端末Ａ１，Ａｎから送信された制御信号を種類別にカウントするコマンドカウント手段３４と、コマンドカウント手段３４がカウント動作を行う一定時間を限時するコマンド受信タイマ手段３５と、コマンドカウント手段３４のカウント結果に基づいて制御対象のグループに属するランプ負荷Ｌ１…に出力する制御信号を決定する連動手段としての判断手段３６とで構成される。
【００３８】
ここで、明るさ制御端末Ａ１から、同じグループＧｍに属する他の明るさ制御端末Ａｎに対して図６に示すフォーマットでＤＯＷＮ要求又はＵＰ要求が送信されると、この制御信号を親機Ｂが受信し、コマンドカウント手段３４がそのグループＧｍに属する明るさ制御端末Ａ１…から送信されたコマンドの数をカウントするとともに、コマンド受信タイマ手段３５を起動する。そして、コマンド受信タイマ手段３５の限時動作が終了した時点で、コマンドカウント手段３４のカウント結果をもとに判断手段３６が以下の判定を行う。
【００３９】
すなわち、あるグループＧｍに属する明るさ制御端末Ａ１…の数をＪ、グループＧｍ内の明るさ制御端末Ａ１…から送信されたコマンドの数をＫ（ＵＰ要求の数とＤＯＷＮ要求の数の和）とすると、Ｊ−Ｋ＜Ｋ、且つ、（ＤＯＷＮ要求の数）＞（ＵＰ要求の数）であれば制御対象のランプ負荷Ｌ１…にＤＯＷＮ要求を、Ｊ−Ｋ＜Ｋ、且つ、（ＤＯＷＮ要求の数）＜（ＵＰ要求の数）であればＵＰ要求を送信し、上記の条件が何れも成立しなければコマンドを送信しない。
【００４０】
このように、本実施形態では親機Ｂの判断手段３６に連動手段の機能を持たせており、同じグループＧｍ内の明るさ制御端末Ａ１…から出力された制御信号の内、最も数が多い種類の制御信号をグループ内の統一した制御信号として、制御対象のランプ負荷Ｌ１…の動作を制御しているので、複数の明るさ制御端末Ａ１…を連動して動作させることができ、各々の明るさ制御端末Ａ１…で制御されるランプ負荷Ｌ１…の明るさがばらつくのを防止できる。また、各明るさ制御端末Ａ１…で明るさの目標値に対して明るいか暗いかを判定させて、ＵＰ要求又はＤＯＷＮ要求を出力させており、連動手段としての判断手段３６では、コマンドカウント手段３４のカウント値をもとに最も数の多い要求信号を統一した制御信号としているので、複雑な演算を行う必要がなく、演算能力の低い安価なマイコンで連動手段を構成できる。
【００４１】
（実施形態３）
本発明の実施形態３を図９及び図１０を参照して説明する。上述した実施形態２では、親機Ｂと明るさ制御端末Ａ１…及びランプ負荷Ｌ１…との間を１系統の通信線で接続しているのに対して、本実施形態では親機Ｂとランプ負荷Ｌ１…との間を通信線１ａで接続すると共に、親機Ｂと明るさ制御端末Ａ１…との間を通信線１ｂで接続しており、２系統の通信線１ａ，１ｂを設けている。
【００４２】
図１０は親機Ｂのブロック図を示しており、通信線１ａを介して明るさ制御端末Ａ１…との間で通信を行う第１通信手段３１ａと、自己のアドレスや第１通信手段３１ａによる通信で使用されるコマンドを記憶する第１アドレス＆コマンド記憶手段３２ａと、通信線１ｂを介してランプ負荷Ｌ１…との間で通信を行う第２通信手段３１ｂと、自己のアドレスや第２通信手段３１ａによる通信で使用されるコマンドを記憶する第２アドレス＆コマンド記憶手段３２ｂと、全てのランプ負荷Ｌ１…及び明るさ制御端末Ａ１…のグループ構成が予め書き込まれたグループ構成記憶手段３３と、明るさ制御端末Ａ１…から送信された制御信号を種類別にカウントするコマンドカウント手段３４と、コマンドカウント手段３４がカウント動作を行う一定時間を限時するコマンド受信タイマ手段３５と、コマンドカウント手段３４のカウント結果に基づいて制御対象のグループに属するランプ負荷Ｌ１…に出力する制御信号を決定する連動手段としての判断手段３６とで親機Ｂを構成している。尚、コマンドカウント手段３４、コマンド受信タイマ手段３５及び判断手段３６の動作は実施形態２と同様であるので、その説明は省略する。
【００４３】
上述のように本実施形態では２系統の通信手段３１ａ，３１ｂを設けているので、親機Ｂと明るさ制御端末Ａ１…との間の通信に用いる信号のフォーマットが、親機Ｂとランプ負荷Ｌ１…との間の通信によって制約を受けることがなく、様々なフォーマットのものを使用でき、マルチドロップ接続が可能なものであれば、どのようなものを用いても良い。同様に、親機Ｂとランプ負荷Ｌ１…との間の通信も何ら制約を受けることがなく、様々なフォーマットのものを使用でき、マルチドロップ接続が可能なものであれば、どのようなものを用いても良い。
【００４４】
（実施形態４）
本発明の実施形態４を図面を参照して説明する。本実施形態は実施形態１と同様のシステム構成を有しており、図１に示すように、複数台の明るさ制御端末Ａ１…と、複数台のランプ負荷Ｌ１…とを２本の通信線１を介して接続している。また、複数台の明るさ制御端末Ａ１…と、複数台のランプ負荷Ｌ１…には電源線２を介して商用電源ＡＣを供給している。尚、明るさ制御端末Ａ１…の構成は実施形態１と同様であるので、同一の構成要素には同一の符号を付して、その説明は省略する。
【００４５】
本実施形態では明るさ制御端末Ａ１…に親機、子機の設定はなく、全ての明るさ制御端末Ａ１…で、負荷制御手段２６が明るさ入力手段２５の検出した明るさと明るさ目標記憶手段２３に記憶された目標値とを随時比較して、ＵＰ要求又はＤＯＷＮ要求を出力し、通信手段２１から図５に示すフォーマットの信号で同じグループの全てのランプ負荷Ｌ１…へ送信させている。
【００４６】
図１１はランプ負荷Ｌ１のブロック図を示しており、ランプ負荷Ｌ１は、通信線１を介して明るさ制御端末Ａ１との間で通信を行う通信手段１１と、ＲＯＭ又はＲＡＭからなるアドレス＆コマンド記憶手段１２と、蛍光灯のようなランプ１３と、調光機能を有する電子安定器からなり、判断手段１８の判断結果に対応した制御内容でランプ１３の光出力を制御するランプ制御手段１４と、同じグループに属する明るさ制御端末Ａ１…の構成が予め書き込まれたグループ構成記憶手段１５と、同じグループに属する明るさ制御端末Ａ１…から送信された制御信号を種類別にカウントするコマンドカウント手段１６と、コマンドカウント手段１６がカウント動作を行う一定時間を限時するコマンド受信タイマ手段１７と、コマンドカウント手段１６のカウント結果に基づいてランプ制御手段１４に出力する制御信号を決定する連動手段としての判断手段１８とで構成される。尚、他のランプ負荷Ｌ２，Ｌｍも、ランプ負荷Ｌ１と同様の構成を有しているので、その説明は省略する。
【００４７】
各ランプ負荷Ｌ１…では、通信手段１１が通信線１を介して信号を受信した場合、受信した信号に含まれるアドレスが自局の個別アドレス又はグループアドレスに一致すれば、その信号の受信処理を行う。この時、受信した信号に含まれる制御信号がＤＯＷＮ要求又はＵＰ要求であれば、コマンドカウント手段１６が制御信号の数を種類別にカウントするとともに、コマンド受信タイマ手段１７を起動させる。そして、コマンド受信タイマ手段１７が一定時間の限時動作を終了するまでに、同じグループに属する全ての明るさ制御端末Ａ１…の台数分の制御信号を受信した場合は、判断手段１８がコマンド受信タイマ手段１７による限時動作を終了させて、以下の判断処理を行う。また、コマンド受信タイマ手段１７が一定時間の限時動作を完了した場合は（同じグループに属する全ての明るさ制御端末Ａ１…から制御信号を受信できなかった場合は）、判断手段１８が受信した制御信号をもとに以下の判断処理を行う。
【００４８】
すなわち、同じグループＧｍに属する明るさ制御端末Ａ１…の数をＪ、グループＧｍ内の明るさ制御端末Ａ１…から送信されたコマンドの数をＫ（ＵＰ要求の数とＤＯＷＮ要求の数の和）とすると、Ｊ−Ｋ＜Ｋ、且つ、（ＤＯＷＮ要求の数）＞（ＵＰ要求の数）であれば、判断手段１８はランプ制御手段１４にＤＯＷＮ要求を出力して、ランプ１３の調光レベルを暗くし、Ｊ−Ｋ＜Ｋ、且つ、（ＤＯＷＮ要求の数）＜（ＵＰ要求の数）であれば、判断手段１８はランプ制御手段１４にＵＰ要求を出力して、ランプ１３の調光レベルを明るくする。また、上記の条件が何れも成立しなければ、判断手段１８はランプ制御手段１４に制御信号を出力せず、ランプ１３の光出力を現状のままとする。
【００４９】
このように、本実施形態では各ランプ負荷Ｌ１…の判断手段１８に連動手段の機能を持たせており、各ランプ負荷Ｌ１…では、同じグループ内の明るさ制御端末Ａ１…から出力された制御信号の内、最も数が多い種類の要求信号をグループ内の統一した制御信号として、自局のランプ１３の動作を制御しているので、複数台の明るさ制御端末Ａ１…により制御されるランプ負荷Ｌ１…の明るさがばらつくのを防止でき、各明るさ制御端末Ａ１…を連動して動作させることができる。また、各明るさ制御端末Ａ１…で明るさの目標値に対して明るいか暗いかを判定させて、ＵＰ要求又はＤＯＷＮ要求を出力させており、連動手段としての判断手段１８では、コマンドカウント手段１６のカウント値をもとに最も数の多い要求信号を統一した制御信号としているので、複雑な演算を行う必要がなく、演算能力の低い安価なマイコンで連動手段を構成できる。
【００５０】
（実施形態５）
本発明の実施形態５を図面を参照して説明する。本実施形態の照明制御システムは実施形態１と同様のシステム構成を有しており、図１に示すように、複数台の明るさ制御端末Ａ１…と、複数台のランプ負荷Ｌ１…とを２本の通信線１を介して接続している。また、複数台の明るさ制御端末Ａ１…と、複数台のランプ負荷Ｌ１…には電源線２を介して商用電源ＡＣを供給している。
【００５１】
各ランプ負荷Ｌ１…は図２に示すような構成を有しており、その構成及び動作は実施形態１と同様であるので、その説明は省略する。尚、各ランプ負荷Ｌ１…のアドレス＆コマンド記憶手段１２には、明るさ制御端末Ａ１…との間の通信で使用するコマンドが書き込まれており、例えばランプ１３を消灯（ＯＦＦ）させるコマンドとして「０」が、調光レベルを明るく（ＵＰ）するコマンドとして「１」が、調光レベルを暗く（ＤＯＷＮ）するコマンドとして「２」が、現状の調光レベルを維持（ＳＴＡＹ）させるコマンドとして「３」が、ランプ１３を点灯させるコマンドとして「４」が記憶されている。
【００５２】
各明るさ制御端末Ａ１…は図１２に示すような構成を有しており、実施形態１の明るさ制御端末Ａ１においてグループ構成記憶手段２４を無くしている。尚、グループ構成記憶手段２４以外は実施形態１と同様であるので、同一の構成要素には同一の符号を付して、その説明は省略する。また、明るさ入力手段２５は図４に示すような構成を有しており、その構成は実施形態１で説明した通りであるので、説明は省略する。
【００５３】
ここで、各明るさ制御端末Ａ１…には、予めどのグループに何台の明るさ制御端末が存在するかといった情報が登録されており、また各グループの中で親機となる明るさ制御端末を１台だけ設定してある。これは、各明るさ制御端末Ａ１…に親子を決めるスイッチを設けておくことで設定が可能である。
【００５４】
例えば明るさ制御端末Ａ１をグループＧ１の親機、明るさ制御端末Ａ２，ＡｎをグループＧ１の子機とすると、子機である明るさ制御端末Ａ２，Ａｎの負荷制御手段２６では、それぞれ以下のような処理を実行する。すなわち、負荷制御手段２６は、明るさ入力手段２５から入力された明るさが目標値よりも明るい場合は通信手段２１より調光レベルを暗くするＤＯＷＮ要求を出力させ、目標値よりも暗い場合は通信手段２１より調光レベルを明るくするＵＰ要求を出力させ、目標値と略同じ場合は通信手段２１より現状の調光レベルを維持させる制御信号（以下、この制御信号をＳＴＡＹ要求と言う。）を出力させる。
【００５５】
ここで、明るさ制御端末Ａ２が、現状の明るさを計測して、「開始符号」「１２９」「０」「１」「停止符号」なるＵＰ要求を出力したとする。尚、この信号中の「０」は明るさ制御端末に出力した信号であることを示している。
【００５６】
別の子機である明るさ制御端末Ａｎは、明るさ制御端末Ａ２からの信号を受信すると、明るさ入力手段２５の検出した明るさをもとに、ＵＰ要求かＤＯＷＮ要求かＳＴＡＹ要求かを決定し、ＵＰ要求の場合には通信手段２１から「開始符号」「１２９」「０」「１」「停止符号」なる信号を、ＤＯＷＮ要求の場合には通信手段２１から「開始符号」「１２９」「０」「２」「停止符号」なる信号を、ＳＴＡＹ要求の場合には「開始符号」「１２９」「０」「３」「停止符号」なる信号をそれぞれ出力させる。尚、ランプ負荷Ｌ１，Ｌ２，Ｌｍも明るさ制御端末Ａ１…から送信された要求信号を受信するが、ランプ負荷に宛てた信号のフォーマットと異なっているので、受信した信号を破棄するようになっている。
【００５７】
また、親機である明るさ制御端末Ａ１は、明るさ制御端末Ａ２から出力された制御信号を通信手段２１が受信すると、コマンドカウント手段２７がその制御信号をカウントするとともに、コマンド受信タイマ手段２８を起動する。コマンドカウント手段２７は、コマンド受信タイマ手段２８の限時動作中に同じグループに属する明るさ制御端末Ａ２…から受信した制御信号をカウントしており、コマンド受信タイマ手段２８による一定時間の限時動作が終了した時点で、自局の明るさ入力手段２５の検出結果をもとに負荷制御手段２６がＵＰ要求かＤＯＷＮ要求かＳＴＡＹ要求かを決定して、その結果をコマンドカウント手段２７がカウントする。このように、コマンドカウント手段２７は、自局も含めて同じグループに属する全ての明るさ制御端末Ａ１…から一定時間内に出力された制御信号をカウントしており、そのカウント結果をもとに判断手段２９が後述の判断処理を行って、グループ内の統一した制御信号をＵＰ要求、ＤＯＷＮ要求或いはＳＴＡＹ要求の何れかに決定する。
【００５８】
例えば、別の子機である明るさ制御端末ＡｎからもＵＰ要求が送信された場合、親機である明るさ制御端末Ａ１が、コマンド受信タイマ手段２８の限時動作中に明るさ制御端末ＡｎからのＵＰ要求を受信したとすると、コマンドカウント手段２７のカウントしたＵＰ要求の数が２つになる。この時、グループＧ１内の全ての子機から要求信号を受信できたので、親機である明るさ制御端末Ａ１の判断処理部２９はコマンド受信タイマ手段２８の限時動作を終了させ、負荷制御手段２６により明るさ入力手段２５の出力をもとにＵＰ要求かＤＯＷＮ要求かＳＴＡＹ要求かを判断させる。ここで、負荷制御手段２６の出力がＵＰ要求であれば、同じグループに属する３つの明るさ制御端末Ａ１…が全てＵＰ要求を出力したことになるので、判断手段２９は、通信手段２１から制御対象のランプ負荷Ｌ１，Ｌ２，Ｌｍに対して、「開始符号」「１２９」「１」「停止信号」のようなＵＰ要求信号を出力させる。また、明るさ制御端末Ａｎの負荷制御手段２６が現状維持と判断して、ＳＴＡＹ要求を出力した場合、このＳＴＡＹ要求を受信した時点でコマンド受信タイマ手段２８を停止させ、判断手段２９により以下の判定を行う。
【００５９】
すなわち、コマンドカウント手段２７によりカウントされた（同じグループ内の全ての明るさ制御端末（自局を含む）から出力された）ＵＰ要求の数をＵ、ＤＯＷＮ要求の数をＤ、ＳＴＡＹ要求の数をＳとすると、Ｄ＞Ｓ且つＤ＞Ｕであればランプ負荷Ｌ１…にＤＯＷＮ要求を、Ｕ＞Ｓ且つＵ＞ＤであればＵＰ要求を送信し、上記の条件が何れも成立しなければコマンドを送信しない。
【００６０】
また、子機である明るさ制御端末Ａ２，ＡｎからＵＰ要求、ＤＯＷＮ要求又はＳＴＡＹ要求の何れも受信していない場合に、親機である明るさ制御端末Ａ１の負荷制御手段２６がＤＯＷＮ要求又はＵＰ要求を発生した場合には、親機である明るさ制御端末Ａ１が図５に示すフォーマットで信号を出力するようにすれば、この信号に応じて子機である明るさ制御端末Ａ２，Ａｎの上述の制御動作を開始させることができ、また同時にコマンド受信タイマ手段２８による限時動作を開始させて、限時動作中にコマンドカウント手段２７がカウント動作を行うことで、一定時間が経過した時点で判断手段２９により上述の判断処理を行わせることができる。
【００６１】
このように、本実施形態では親機である明るさ制御端末Ａ１の判断手段２９に連動手段の機能を持たせており、同じグループ内の明るさ制御端末Ａ１…から出力された制御信号の内、最も数が多い種類の制御信号をグループ内の統一した制御信号として、制御対象のランプ負荷Ｌ１…の動作を制御しているので、複数の明るさ制御端末Ａ１…を連動して動作させることができ、各々の明るさ制御端末Ａ１…で制御されるランプ負荷Ｌ１…の明るさがばらつくのを防止できる。また、各明るさ制御端末Ａ１…で明るさの目標値に対して明るいか暗いかを判定させて、ＵＰ要求又はＤＯＷＮ要求を出力させており、連動手段としての判断手段２９では、コマンドカウント手段２７のカウント値をもとに最も数の多い要求信号を統一した制御信号としているので、複雑な演算を行う必要がなく、演算能力の低い安価なマイコンで連動手段を構成できる。また、本実施形態では現状の光出力を維持する場合には各明るさ制御端末Ａ１…からＳＴＡＹ要求を送出させているので、ＵＰ要求の数とＤＯＷＮ要求の数とＳＴＡＹ要求の数を比較することで、何れの制御信号に統一するかを決定でき、実施形態１のように１つのグループを構成する明るさ制御端末Ａ１…の数を記憶させておく必要がないので、レイアウト変更などでシステムの構成が変更される場合にも容易に対応できる。
【００６２】
（実施形態６）
上述した実施形態５では同じグループに属する明るさ制御端末Ａ１…の内の１台を親機として用いているが、本実施形態では図７に示すように専用の親機Ｂを設け、複数台の明るさ制御端末Ａ１…、親機Ｂ、及び複数台のランプ負荷Ｌ１…を通信線１に接続するとともに、明るさ制御端末Ａ１…と親機Ｂとランプ負荷Ｌ１…とに電源線２を介して商用電源ＡＣを供給している。尚、明るさ制御端末Ａ１…及びランプ負荷Ｌ１…の構成及び動作は実施形態５と同様であるのでその説明は省略する。また、明るさ制御端末Ａ１…には親子の区別はなく、実施形態５で説明した子機と同様の動作を行うので、その説明は省略する。また、親機Ｂは図１３に示すような構成を有しており、グループ構成記憶手段３３を無くした点以外は実施形態２で説明した親機Ｂと同様であるので、その構成及び動作についての説明は省略する。
【００６３】
ここで、明るさ制御端末Ａ１から、同じグループＧ１内の他の明るさ制御端末Ａｎに対して図６に示すフォーマットでＤＯＷＮ要求、ＵＰ要求又はＳＴＡＹ要求が送信されると、この信号を親機Ｂが受信し、コマンドカウント手段３４がグループＧ１の明るさ制御端末Ａ１…から送信されたコマンドの数を種類毎にカウントするとともに、コマンド受信タイマ手段３５を起動する。そして、コマンド受信タイマ手段３５の限時動作が終了した時点で、コマンドカウント手段３４のカウント結果をもとに判断手段３６が以下の判定を行い、制御対象のランプ負荷Ｌ１…に対して制御信号を送信する。
【００６４】
すなわち、グループＧ１内の明るさ制御端末Ａ１…から出力された全てのＵＰ要求の数をＵ、ＤＯＷＮ要求の数をＤ、ＳＴＡＹ要求の数をＳとすると、Ｄ＞Ｓ且つＤ＞Ｕであればランプ負荷Ｌ１…にＤＯＷＮ要求を、Ｕ＞Ｓ且つＵ＞ＤであればＵＰ要求を送信し、上記の条件が何れも成立しなければコマンドを送信しない、という処理を実行する。
【００６５】
このように、同じグループ内の明るさ制御端末Ａ１…から出力された要求信号の内、最も数の多い要求信号をこのグループの制御信号として、対応するランプ負荷Ｌ１…の動作を制御しているので、複数の明るさ制御端末Ａ１…を連動して動作させることができ、明るさ制御端末Ａ１…により制御されるランプ負荷Ｌ１…の明るさがばらつくのを防止できる。
【００６６】
このように、本実施形態では親機Ｂの判断手段３６に連動手段の機能を持たせており、同じグループＧｍ内の明るさ制御端末Ａ１…から出力された制御信号の内、最も数が多い種類の制御信号をグループ内の統一した制御信号として、制御対象のランプ負荷Ｌ１…の動作を制御しているので、複数の明るさ制御端末Ａ１…を連動して動作させることができ、各々の明るさ制御端末Ａ１…で制御されるランプ負荷Ｌ１…の明るさがばらつくのを防止できる。また、各明るさ制御端末Ａ１…で明るさの目標値に対して明るいか暗いかを判定させて、ＵＰ要求、ＤＯＷＮ要求又はＳＴＡＹ要求を出力させており、連動手段としての判断手段３６では、コマンドカウント手段３４のカウント値をもとに最も数の多い要求信号を統一した制御信号としているので、複雑な演算を行う必要がなく、演算能力の低い安価なマイコンで連動手段を構成できる。また、本実施形態では現状の光出力を維持する場合には各明るさ制御端末Ａ１…からＳＴＡＹ要求を送出させているので、ＵＰ要求の数とＤＯＷＮ要求の数とＳＴＡＹ要求の数を比較することで、何れの制御信号に統一するかを決定でき、実施形態１のように１つのグループを構成する明るさ制御端末Ａ１…の数を記憶させておく必要がないので、レイアウト変更などでシステムの構成が変更される場合にも容易に対応できる。
【００６７】
（実施形態７）
本発明の実施形態７を図１４を参照して説明する。上述した実施形態６では、親機Ｂと明るさ制御端末Ａ１…及びランプ負荷Ｌ１…との間を１系統の通信線で接続しているのに対して、本実施形態では図９に示すように親機Ｂとランプ負荷Ｌ１…との間を通信線１ａで接続すると共に、親機Ｂと明るさ制御端末Ａ１…との間を通信線１ｂで接続しており、２系統の通信線１ａ，１ｂを設けている。尚、明るさ制御端末Ａ１…及びランプ負荷Ｌ１…の構成及び動作は実施形態６と同様であるので、同一の構成要素には同一の符号を付して、その説明は省略する。
【００６８】
図１４は親機Ｂのブロック図を示しており、通信線１ａを介して明るさ制御端末Ａ１…との間で通信を行う第１通信手段３１ａと、自己のアドレスや第１通信手段３１ａによる通信で使用されるコマンドを記憶する第１アドレス＆コマンド記憶手段３２ａと、通信線１ｂを介してランプ負荷Ｌ１…との間で通信を行う第２通信手段３１ｂと、自己のアドレスや第２通信手段３１ａによる通信で使用されるコマンドを記憶する第２アドレス＆コマンド記憶手段３２ｂと、明るさ制御端末Ａ１〜Ａｎから送信された制御信号を種類別にカウントするコマンドカウント手段３４と、コマンドカウント手段３４がカウント動作を行う一定時間を限時するコマンド受信タイマ手段３５と、コマンドカウント手段３４のカウント結果に基づいてランプ負荷Ｌ１…に出力する制御信号を決定する連動手段としての判断手段３６とで親機Ｂを構成している。尚、コマンドカウント手段３４、コマンド受信タイマ手段３５及び判断手段３６の動作は実施形態６と同様であるので、その説明は省略する。
【００６９】
上述のように本実施形態では２系統の通信手段３１ａ，３１ｂを設けているので、親機Ｂと明るさ制御端末Ａ１…との間の通信に用いる信号のフォーマットが、親機Ｂとランプ負荷Ｌ１…との間の通信によって制約を受けることがなく、様々なフォーマットのものを使用でき、マルチドロップ接続が可能なものであれば、どのようなものを用いても良い。同様に、親機Ｂとランプ負荷Ｌ１…との間の通信も何ら制約を受けることがなく、様々なフォーマットのものを使用でき、マルチドロップ接続が可能なものであれば、どのようなものを用いても良い。
【００７０】
（実施形態８）
本発明の実施形態８を図１５を参照して説明する。本実施形態の照明制御システムは実施形態５と同様のシステム構成を有しており、図１に示すように、複数台の明るさ制御端末Ａ１…と、複数台のランプ負荷Ｌ１…とを２本の通信線１を介して接続している。また、複数台の明るさ制御端末Ａ１…と、複数台のランプ負荷Ｌ１…には電源線２を介して商用電源ＡＣを供給している。
【００７１】
各明るさ制御端末Ａ１…の構成及び動作は実施形態５と同様であるのでその説明は省略する。各明るさ制御端末Ａ１…には親子の区別はなく、全ての明るさ制御端末Ａ１…が実施形態５で説明した子機の動作を行っており、負荷制御手段２６が明るさ入力手段２５の検出した明るさと明るさ目標記憶手段２３に記憶された目標値とを随時比較して、ＵＰ要求、ＤＯＷＮ要求又はＳＴＡＹ要求を出力し、通信手段２１から図５に示すフォーマットの信号で同じグループ内のランプ負荷Ｌ１…に送信している。
【００７２】
図１５はランプ負荷Ｌ１のブロック図を示しており、ランプ負荷Ｌ１は、通信線１を介して明るさ制御端末Ａ１…との間で通信を行う通信手段１１と、ＲＯＭ又はＲＡＭからなるアドレス＆コマンド記憶手段１２と、蛍光灯のようなランプ１３と、調光機能を有する電子安定器からなり、判断手段１８の判断結果に対応した制御内容でランプ１３の光出力を制御するランプ制御手段１４と、同じグループに属する明るさ制御端末Ａ１…から送信された制御信号を種類別にカウントするコマンドカウント手段１６と、コマンドカウント手段１６がカウント動作を行う一定時間を限時するコマンド受信タイマ手段１７と、コマンドカウント手段１６のカウント結果に基づいてランプ制御手段１４に出力する制御信号を決定する連動手段としての判断手段１８とで構成される。尚、他のランプ負荷Ｌ２，Ｌｍも、ランプ負荷Ｌ１と同様の構成を有しているので、その説明は省略する。
【００７３】
各ランプ負荷Ｌ１…では、通信手段１１が通信線１を介して信号を受信した場合、受信した信号に含まれるアドレスが自局の個別アドレス又はグループアドレスに一致すれば、その信号の受信処理を行う。この時、受信した信号に含まれるコマンドがＤＯＷＮ要求、ＵＰ要求又はＳＴＡＹ要求であれば、コマンドカウント手段１６がコマンドの数をカウントするとともに、コマンド受信タイマ手段１７を起動させる。そして、コマンド受信タイマ手段１７が一定時間の限時動作を終了するまでに、同じグループに属する全ての明るさ制御端末Ａ１…の台数分のコマンドを受信した場合は、判断手段１８がコマンド受信タイマ手段１７による限時動作を終了させて以下の判断処理を行う。また、コマンド受信タイマ手段１７が一定時間の限時動作を完了した場合は（同じグループに属する全ての明るさ制御端末Ａ１…から制御信号を受信できなかった場合は）、判断手段１８が受信したコマンドをもとに以下の判断処理を行う。
【００７４】
すなわち、コマンドカウント手段１６でカウントされた（つまり、同じグループ内の明るさ制御端末（自局を含む）から出力された）全てのＵＰ要求の数をＵ、ＤＯＷＮ要求の数をＤ、ＳＴＡＹ要求の数をＳとすると、Ｄ＞Ｓ且つＤ＞Ｕであれば、判断手段１８はランプ制御手段１４にＤＯＷＮ要求を出力して、ランプ１３の調光レベルを暗くし、Ｕ＞Ｓ且つＵ＞Ｄであれば、判断手段１８はランプ制御手段１４にＵＰ要求を出力して、ランプ１３の調光レベルを明るくする。また、上記の条件が何れも成立しなければ、判断手段１８はランプ制御手段１４に制御信号を出力せず、ランプ１３の光出力を現状のままとする。
【００７５】
このように、本実施形態では各ランプ負荷Ｌ１…の判断手段１８に連動手段の機能を持たせており、各ランプ負荷Ｌ１…では、同じグループ内の明るさ制御端末Ａ１…から出力された制御信号の内、最も数が多い種類の要求信号をグループ内の統一した制御信号として、自局のランプ１３の動作を制御しているので、複数台の明るさ制御端末Ａ１…により制御されるランプ負荷Ｌ１…の明るさがばらつくのを防止でき、各明るさ制御端末Ａ１…を連動して動作させることができる。また、各明るさ制御端末Ａ１…で明るさの目標値に対して明るいか暗いかを判定させて、ＵＰ要求又はＤＯＷＮ要求又はＳＴＡＹ要求を出力させており、連動手段としての判断手段１８では、コマンドカウント手段１６のカウント値をもとに最も数の多い要求信号を統一した制御信号としているので、複雑な演算を行う必要がなく、演算能力の低い安価なマイコンで連動手段を構成できる。また、本実施形態では現状の光出力を維持する場合には各明るさ制御端末Ａ１…からＳＴＡＹ要求を送出させているので、ＵＰ要求の数とＤＯＷＮ要求の数とＳＴＡＹ要求の数を比較することで、何れの制御信号に統一するかを決定でき、実施形態１のように１つのグループを構成する明るさ制御端末Ａ１…の数を記憶させておく必要がないので、レイアウト変更などでシステムの構成が変更される場合にも容易に対応できる。
【００７６】
（実施形態９）
本発明の実施形態９を図１６及び図１７を参照して説明する。本実施形態の照明制御システムは実施形態１と同様のシステム構成を有しているので、その説明は省略する。尚、各明るさ制御端末Ａ１…から各ランプ負荷Ｌ１…へ信号を送信する際や、明るさ制御端末Ａ１…の間で信号を送信する際には図５に示すフォーマットの信号が用いられる。アドレスデータＡＤは例えば８ビットのデータからなり、８ビット目（最上位ビット）は個別アドレスかグループアドレスかの選択ビット（０が個別、１がグループ）、７ビット目は明るさ制御端末かランプ負荷かの選択ビット（０がランプ負荷、１が明るさ制御端末）であり、下位６ビットが実アドレスを示している。図１７はアドレス空間のマップを示しており、００Ｈ〜０ＦＨまでがランプ負荷Ｌ１…のグループアドレス領域に、１０Ｈ〜７ＦＨまでが明るさ制御端末Ａ１…のグループアドレス領域に、８０Ｈ〜ＦＦＨまでが個別アドレス領域に割り当てられている。
【００７７】
図１６は明るさ制御端末Ａ１のブロック図を示しており、明るさ制御端末Ａ１は、通信線１を介して通信を行う通信手段２１と、自局のアドレスと通信で使用されるコマンドとを記憶するアドレス＆コマンド記憶手段２２と、明るさの目標値を記憶する明るさ目標記憶手段２３と、ランプ負荷Ｌ１…及び明るさ制御端末Ａ１…のグループ構成が予め書き込まれたグループ構成記憶手段２４と、自局の制御範囲における現在の明るさを入力する明るさ入力手段２５と、明るさ目標記憶手段２３に記憶された明るさの目標値と明るさ入力手段２５から入力された実際の明るさとを随時比較して対応するランプ負荷Ｌ１…の光出力を制御する制御信号を出力する負荷制御手段２６と、他の明るさ制御端末Ａ２〜Ａｎから送信された制御信号と自局の負荷制御手段２６から出力された制御信号とを種類別にカウントするコマンドカウント手段２７と、コマンドカウント手段２７がカウント動作を行う一定時間を限時するコマンド受信タイマ手段２８と、コマンドカウント手段２７のカウント結果に基づいて制御対象のグループに属するランプ負荷Ｌ１…に出力する制御信号を決定する連動手段としての判断手段２９と、明るさ制御端末Ａ１…のグループアドレスとランプ負荷Ｌ１…のグループアドレスとがそれぞれ書き込まれた端末器アドレス記憶手段３０とで構成される。ここに、アドレス＆コマンド記憶手段２２、明るさ目標記憶手段２３、グループ構成記憶手段２４及び端末器アドレス記憶手段３０はＲＯＭ又はＲＡＭからなり、負荷制御手段２６、コマンドカウント手段２７及び判断手段２９はマイクロコンピュータの演算機能により実現される。尚、他の明るさ制御端末Ａ２，Ａｎも、明るさ制御端末Ａ１と同様の構成を有しているので、その説明は省略する。また、子機として使用する場合には、コマンドカウント手段２７、コマンド受信タイマ手段２８及び判断手段２９は動作を停止する。
【００７８】
ここで、各明るさ制御端末Ａ１…は、グループ構成記憶手段２４に記憶されたグループ構成から、予めどのグループに何台の明るさ制御端末が存在するかを把握することができ、また各グループの中で親機となる明るさ制御端末を１台だけ設定してある。
【００７９】
例えば明るさ制御端末Ａ１，Ａ２，Ａｎで制御端末のグループＧ１を構成するとともに、ランプ負荷Ｌ１，Ｌ２，Ｌｍでランプ負荷のグループＨ１を構成し、明るさ制御端末Ａ１をグループＧ１の親機、明るさ制御端末Ａ２，ＡｎをグループＧ１の子機とすると、子機である明るさ制御端末Ａ２，Ａｎの負荷制御手段２６では、それぞれ以下のような処理を実行する。すなわち、負荷制御手段２６は、明るさ入力手段２５から入力された明るさが目標値よりも明るい場合は通信手段２１より調光レベルを暗くするＤＯＷＮ要求を出力させ、目標値よりも暗い場合は通信手段２１より調光レベルを明るくするＵＰ要求を出力させる。
【００８０】
ここで、子機である明るさ制御端末Ａ２が、現状の明るさを計測して、図５の信号フォーマットで送信先として明るさ制御端末Ａ１…のグループアドレスを指定し、「開始符号」「１９３」「０」「１」「停止符号」なるＵＰ要求を出力したとする。ランプ負荷Ｌ１…がこの信号を受信した場合、ランプ負荷Ｌ１…では自局の個別アドレス或いはグループアドレスとは異なるアドレスであるので、受信した信号を破棄するようになっている。また、他の明るさ制御端末Ａ１，Ａｎでこの信号を受信した場合、アドレスデータが「１１００　０００１」となっており、個別アドレスかグループアドレスかの選択ビットが「１」、明るさ制御端末かランプ負荷かの選択ビットが「１」であるので、明るさ制御端末のグループＧ１に属する子機からの信号であることが分かるから、この信号を受信して以下の処理を行う。
【００８１】
この信号を受けて子機である明るさ制御端末Ａｎでは、明るさ入力手段２５の検出した明るさと目標値とを比較し、ＵＰ要求又はＤＯＷＮ要求を通信手段２１から送信させる。また、親機である明るさ制御端末Ａ１では、コマンドカウント手段２７で受信したコマンドをカウントするとともに、コマンド受信タイマ手段２８を起動して、タイマの動作中に受信したコマンドをカウントする。そして、コマンド受信タイマ手段２８による一定時間の限時動作が終了した時点で、自局の明るさ入力手段２５の検出結果をもとに負荷制御手段２６がＵＰ要求かＤＯＷＮ要求かを決定して、その結果をコマンドカウント手段２７がカウントする。このように、コマンドカウント手段２７は、自局も含めて同じグループに属する全ての明るさ制御端末Ａ１…から出力されたコマンドをカウントしており、そのカウント結果をもとに判断手段２９が後述の判断処理を行って、グループ内で統一した制御信号をＵＰ要求にするかＤＯＷＮ要求にするかを決定する。
【００８２】
ここで、親機である明るさ制御端末Ａ１の判定処理をまとめると、親機である明るさ制御端末Ａ１の属するグループＧ１内の全ての明るさ制御端末（自局を含む）の台数をＪ、同じグループ内の明るさ制御端末（自局を含む）から出力されたコマンドの数をＫ（ＵＰ要求の数とＤＯＷＮ要求の数の和）とした場合、Ｊ−Ｋ＜Ｋ、且つ、（ＤＯＷＮ要求の数）＞（ＵＰ要求の数）であればランプ負荷Ｌ１…にＤＯＷＮ要求を、Ｊ−Ｋ＜Ｋ、且つ、（ＤＯＷＮ要求の数）＜（ＵＰ要求の数）であればＵＰ要求を送信し、上記の条件が何れも成立しなければコマンドを送信しない、という処理を実行する。この時、親機である明るさ制御端末Ａ１から各ランプ負荷Ｌ１…へは図５に示すフォーマットで信号が送信され、アドレスデータの７ビット目（明るさ制御端末かランプ負荷かの選択ビット）を０（ランプ負荷）として送信される。
【００８３】
なお、子機である明るさ制御端末Ａ２，ＡｎからＵＰ要求又はＤＯＷＮ要求の何れも受信していない場合に、親機である明るさ制御端末Ａ１の負荷制御手段２６がＤＯＷＮ要求又はＵＰ要求を発生した場合には、親機である明るさ制御端末Ａ１が図５に示すフォーマットで、アドレスデータの７ビット目（明るさ制御端末かランプ負荷かの選択ビット）を１とした信号を出力するようにすれば、この信号に応じて子機である明るさ制御端末Ａ２，Ａｎに上述の制御動作を行わせることができ、また同時にコマンド受信タイマ手段２８による限時動作を開始させて、限時動作中にコマンドカウント手段２７がカウント動作を行うことで、一定時間が経過した時点で判断手段２９により上述の判断処理を行わせることができる。
【００８４】
このように、本実施形態では親機である明るさ制御端末Ａ１の判断手段２９に連動手段の機能を持たせており、同じグループ内の明るさ制御端末Ａ１…から出力された制御信号の内、最も数が多い種類の制御信号をグループ内の統一した制御信号として、制御対象のランプ負荷Ｌ１…の動作を制御しているので、複数の明るさ制御端末Ａ１…を連動して動作させることができ、各々の明るさ制御端末Ａ１…で制御されるランプ負荷Ｌ１…の明るさがばらつくのを防止できる。また、各明るさ制御端末Ａ１…で明るさの目標値に対して明るいか暗いかを判定させて、ＵＰ要求又はＤＯＷＮ要求を出力させており、連動手段としての判断手段２９では、コマンドカウント手段２７のカウント値をもとに最も数の多い要求信号を統一した制御信号としているので、複雑な演算を行う必要がなく、演算能力の低い安価なマイコンで連動手段を構成できる。さらに、本実施形態では同じグループに属する明るさ制御端末Ａ１…に対応したランプ負荷Ｌ１…のグループと、明るさ制御端末Ａ１…のグループとに、各グループを指定するための別個のグループアドレスを設定しており、ランプ負荷のグループＬ１…又は明るさ制御端末Ａ１…のグループに信号を送出する際は、各々のグループに割り当てられた別個のグループアドレスとともに信号を送出することで、各々のグループを特定しているので、ランプ負荷Ｌ１…のグループ及び明るさ制御端末Ａ１…のグループに信号を送出する際に同じ信号フォーマットで通信することができ、別々の信号フォーマットを用いる場合に比べて通信処理にかかる負荷を減らすことができる。
【００８５】
（実施形態１０）
本発明の実施形態１０を図１８を参照して説明する。上述した実施形態９では同じグループに属する明るさ制御端末Ａ１…の内の１台を親機として用いているが、本実施形態では図７に示すように専用の親機Ｂを設け、複数台の明るさ制御端末Ａ１…と親機Ｂと複数台のランプ負荷Ｌ１…とを通信線１に接続するとともに、明るさ制御端末Ａ１…と親機Ｂとランプ負荷Ｌ１…とに電源線２を介して商用電源ＡＣを供給している。
【００８６】
明るさ制御端末Ａ１…の構成は実施形態９と同様であるが、親子の概念はなく、実施形態９と同様に図５のフォーマットで、アドレスデータの７ビット目（明るさ制御端末かランプ負荷かの選択ビット）を１とした信号を送信する。また、ランプ負荷Ｌ１…の構成も実施形態９と同様であるので、その説明は省略する。
【００８７】
図１８は親機Ｂの構成を示しており、通信線１を介して通信を行う通信手段３１と、自己のアドレスと通信で使用されるコマンドとを記憶するアドレス＆コマンド記憶手段３２と、全てのランプ負荷Ｌ１…及び明るさ制御端末Ａ１…のグループ構成を予め記憶するグループ構成記憶手段３３と、明るさ制御端末Ａ１〜Ａｎから送信された制御信号を種類別にカウントするコマンドカウント手段３４と、コマンドカウント手段３４がカウント動作を行う一定時間を限時するコマンド受信タイマ手段３５と、コマンドカウント手段３４のカウント結果に基づいて制御対象のグループに属するランプ負荷Ｌ１…に出力する制御信号を決定する連動手段としての判断手段３６と、明るさ制御端末Ａ１…のグループアドレスとランプ負荷Ｌ１…のグループアドレスとがそれぞれ書き込まれた端末器アドレス記憶手段３７とで構成される。
【００８８】
ここで、明るさ制御端末Ａ１から、同じグループＧ１内の他の明るさ制御端末に対して図５に示すフォーマットでＤＯＷＮ要求又はＵＰ要求が送信されると、この信号を親機Ｂが受信し、コマンドカウント手段３４がグループＧ１の明るさ制御端末Ａ１…から送信されたコマンドの数をカウントするとともに、コマンド受信タイマ手段３５を起動する。そして、コマンド受信タイマ手段３５の限時動作が終了した時点で、コマンドカウント手段３４のカウント結果をもとに判断手段３６が以下の判定を行う。
【００８９】
すなわち、あるグループＧｍに属する明るさ制御端末Ａ１…の数をＪ、グループＧｍ内の明るさ制御端末Ａ１…から送信されたコマンドの数をＫ（ＵＰ要求の数とＤＯＷＮ要求の数の和）とすると、Ｊ−Ｋ＜Ｋ、且つ、（ＤＯＷＮ要求の数）＞（ＵＰ要求の数）であればランプ負荷Ｌ１…にＤＯＷＮ要求を、Ｊ−Ｋ＜Ｋ、且つ、（ＤＯＷＮ要求の数）＜（ＵＰ要求の数）であればＵＰ要求を送信し、上記の条件が何れも成立しなければコマンドを送信しない。
【００９０】
このように、本実施形態では親機Ｂの判断手段３６に連動手段の機能を持たせており、同じグループＧｍ内の明るさ制御端末Ａ１…から出力された制御信号の内、最も数が多い種類の制御信号をグループ内の統一した制御信号として、制御対象のランプ負荷Ｌ１…の動作を制御しているので、複数の明るさ制御端末Ａ１…を連動して動作させることができ、各々の明るさ制御端末Ａ１…で制御されるランプ負荷Ｌ１…の明るさがばらつくのを防止できる。また、各明るさ制御端末Ａ１…で明るさの目標値に対して明るいか暗いかを判定させて、ＵＰ要求又はＤＯＷＮ要求を出力させており、連動手段としての判断手段３６では、コマンドカウント手段３４のカウント値をもとに最も数の多い要求信号を統一した制御信号としているので、複雑な演算を行う必要がなく、演算能力の低い安価なマイコンで連動手段を構成できる。さらに、本実施形態では同じグループに属する明るさ制御端末Ａ１…に対応したランプ負荷Ｌ１…のグループと、明るさ制御端末Ａ１…のグループとに、各グループを指定するための別個のグループアドレスを設定しており、ランプ負荷のグループＬ１…又は明るさ制御端末Ａ１…のグループに信号を送出する際は、各々のグループに割り当てられた別個のグループアドレスとともに信号を送出することで、各々のグループを特定しているので、ランプ負荷Ｌ１…のグループ及び明るさ制御端末Ａ１…のグループに信号を送出する際に同じ信号フォーマットで通信することができ、別々の信号フォーマットを用いる場合に比べて通信処理にかかる負荷を減らすことができる。
【００９１】
（実施形態１１）
本発明の実施形態１１を図１９を参照して説明する。本実施形態では上述した実施形態４の照明制御システムにおいて、各ランプ負荷Ｌ１…に、明るさ制御端末Ａ１…のグループアドレスとランプ負荷Ｌ１…のグループアドレスとがそれぞれ書き込まれた端末器アドレス記憶手段１９を設けている。尚、端末機アドレス記憶手段１９以外の構成は実施形態４と同様であるので、その説明は省略する。
【００９２】
本実施形態では各明るさ制御端末Ａ１…に親機、子機の設定はなく、全ての明るさ制御端末Ａ１…が実施形態１で説明した子機の動作を行っており、負荷制御手段２６が明るさ入力手段２５の検出した明るさと明るさ目標記憶手段２３に記憶された目標値とを随時比較して、ＵＰ要求又はＤＯＷＮ要求を出力し、通信手段２１から図５に示すフォーマットの信号で制御対象のグループ内のランプ負荷Ｌ１…に送信している。尚、アドレスデータＡＤは例えば８ビットのデータからなり、８ビット目（最上位ビット）は個別アドレスかグループアドレスかの選択ビット（０が個別、１がグループ）、７ビット目は明るさ制御端末かランプ負荷かの選択ビット（０がランプ負荷、１が明るさ制御端末）であり、下位６ビットが実アドレスを示している。図１７はアドレス空間のマップを示しており、００Ｈ〜０ＦＨまでがランプ負荷Ｌ１…のグループアドレス領域に、１０Ｈ〜７ＦＨまでが明るさ制御端末Ａ１…のグループアドレス領域に、８０Ｈ〜ＦＦＨまでが個別アドレス領域に割り当てられている。
【００９３】
各ランプ負荷Ｌ１…では、通信手段１１が通信線１を介して信号を受信した場合、受信した信号に含まれるアドレスが自局の個別アドレス又はグループアドレスに一致すれば、その信号の受信処理を行う。この時、受信した信号に含まれる制御信号がＤＯＷＮ要求又はＵＰ要求であれば、コマンドカウント手段１６が制御信号の数を種類別にカウントするとともに、コマンド受信タイマ手段１７を起動させる。そして、コマンド受信タイマ手段１７が一定時間の限時動作を終了するまでに、同じグループに属する全ての明るさ制御端末Ａ１…の台数分の制御信号を受信した場合は、判断手段１８がコマンド受信タイマ手段１７による限時動作を終了させて、以下の判断処理を行う。また、コマンド受信タイマ手段１７が一定時間の限時動作を完了した場合は（同じグループに属する全ての明るさ制御端末Ａ１…から制御信号を受信できなかった場合は）、判断手段１８が受信した制御信号をもとに以下の判断処理を行う。
【００９４】
すなわち、同じグループＧｍに属する明るさ制御端末Ａ１…の数をＪ、グループＧｍ内の明るさ制御端末Ａ１…から送信されたコマンドの数をＫ（ＵＰ要求の数とＤＯＷＮ要求の数の和）とすると、Ｊ−Ｋ＜Ｋ、且つ、（ＤＯＷＮ要求の数）＞（ＵＰ要求の数）であれば、判断手段１８はランプ制御手段１４にＤＯＷＮ要求を出力して、ランプ１３の調光レベルを暗くし、Ｊ−Ｋ＜Ｋ、且つ、（ＤＯＷＮ要求の数）＜（ＵＰ要求の数）であれば、判断手段１８はランプ制御手段１４にＵＰ要求を出力して、ランプ１３の調光レベルを明るくする。また、上記の条件が何れも成立しなければ、判断手段１８はランプ制御手段１４に制御信号を出力せず、ランプ１３の光出力を現状のままとする。
【００９５】
このように、本実施形態では各ランプ負荷Ｌ１…の判断手段１８に連動手段の機能を持たせており、各ランプ負荷Ｌ１…では、同じグループ内の明るさ制御端末Ａ１…から出力された制御信号の内、最も数が多い種類の要求信号をグループ内の統一した制御信号として、自局のランプ１３の動作を制御しているので、複数台の明るさ制御端末Ａ１…により制御されるランプ負荷Ｌ１…の明るさがばらつくのを防止でき、各明るさ制御端末Ａ１…を連動して動作させることができる。また、各明るさ制御端末Ａ１…で明るさの目標値に対して明るいか暗いかを判定させて、ＵＰ要求又はＤＯＷＮ要求を出力させており、連動手段としての判断手段１８では、コマンドカウント手段１６のカウント値をもとに最も数の多い要求信号を統一した制御信号としているので、複雑な演算を行う必要がなく、演算能力の低い安価なマイコンで連動手段を構成できる。さらに、本実施形態では同じグループに属する明るさ制御端末Ａ１…に対応したランプ負荷Ｌ１…のグループと、明るさ制御端末Ａ１…のグループとに、各グループを指定するための別個のグループアドレスを設定しており、ランプ負荷のグループＬ１…又は明るさ制御端末Ａ１…のグループに信号を送出する際は、各々のグループに割り当てられた別個のグループアドレスとともに信号を送出することで、各々のグループを特定しているので、ランプ負荷Ｌ１…のグループ及び明るさ制御端末Ａ１…のグループに信号を送出する際に同じ信号フォーマットで通信することができ、別々の信号フォーマットを用いる場合に比べて通信処理にかかる負荷を減らすことができる。
【００９６】
（実施形態１２）
本発明の実施形態１２を図面を参照して説明する。本実施形態は、実施形態１と同様のシステム構成を有しているので、その説明は省略する。
【００９７】
ここで、各明るさ制御端末Ａ１…から各ランプ負荷Ｌ１…へ信号を送信する際や、明るさ制御端末Ａ１…の間で信号を送信する際には図５に示すフォーマットの信号が用いられる。尚、アドレスデータＡＤは例えば８ビットのデータからなり、８ビット目（最上位ビット）は個別アドレスかグループアドレスかの選択ビット（０が個別、１がグループ）、７ビット目は明るさ制御端末かランプ負荷かの選択ビット（０がランプ負荷、１が明るさ制御端末）であり、下位６ビットが実アドレスを示している。図１７はアドレス空間のマップを示しており、００Ｈ〜０ＦＨまでがランプ負荷Ｌ１…のグループアドレス領域に、１０Ｈ〜７ＦＨまでが明るさ制御端末Ａ１…のグループアドレス領域に、８０Ｈ〜ＦＦＨまでが個別アドレス領域に割り当てられている。
【００９８】
各明るさ制御端末Ａ１…は図１２に示すような構成を有しており、その構成及び動作は実施形態５と同様であるので、その説明は省略する。各明るさ制御端末Ａ１…には予めどのグループに何台の明るさ制御端末が存在するかが設定されており、また各グループの中で親機となる明るさ制御端末を１台だけ設定してある。
【００９９】
例えば明るさ制御端末Ａ１，Ａ２，Ａｎで制御端末のグループＧ１を構成するとともに、ランプ負荷Ｌ１，Ｌ２，Ｌｍでランプ負荷のグループＨ１を構成し、明るさ制御端末Ａ１をグループＧ１の親機、明るさ制御端末Ａ２，ＡｎをグループＧ１の子機とすると、子機である明るさ制御端末Ａ２，Ａｎの負荷制御手段２６では、それぞれ以下のような処理を実行する。すなわち、負荷制御手段２６は、明るさ入力手段２５から入力された実際の明るさと明るさ目標値記憶手段２３に記憶された目標値とを随時比較し、実際の明るさが目標値よりも明るい場合は通信手段２１より調光レベルを暗くする要求信号（ＤＯＷＮ要求）を出力させ、目標値よりも暗い場合は通信手段２１より調光レベルを明るくする要求信号（ＵＰ要求）を出力させ、目標値と略同じ場合は通信手段２１より現状の調光レベルを維持する要求信号（ＳＴＡＹ要求）を出力させる。
【０１００】
ここで、子機である明るさ制御端末Ａ２が、現状の明るさを計測して、図５の信号フォーマットで「開始符号」「１９３」「０」「１」「停止符号」なるＵＰ要求を出力したとする。ランプ負荷Ｌ１…がこの信号を受信した場合、ランプ負荷Ｌ１…では自局の個別アドレス或いはグループアドレスとは異なるアドレスであるので、受信した信号を破棄するようになっている。また、他の明るさ制御端末Ａ１，Ａｎでこの信号を受信した場合、アドレスデータが「１１００　０００１」となっており、個別アドレスかグループアドレスかの選択ビットが「１」、明るさ制御端末かランプ負荷かの選択ビットが「１」であるので、明るさ制御端末のグループＧ１に属する子機からの信号であることが分かる。
【０１０１】
この信号を受けて子機である明るさ制御端末Ａｎでは、明るさ入力手段２５の検出した明るさと目標値とを比較し、ＵＰ要求、ＤＯＷＮ要求又はＳＴＡＹ要求を通信手段２１から送信させる。また、親機である明るさ制御端末Ａ１では、コマンドカウント手段２７で受信したコマンドをカウントするとともに、コマンド受信タイマ手段２８を起動して、タイマの動作中に受信したコマンドをカウントする。そして、コマンド受信タイマ手段２８による一定時間の限時動作が終了した時点で、自局の明るさ入力手段２５の検出結果をもとに負荷制御手段２６がＵＰ要求かＤＯＷＮ要求かＳＴＡＹ要求かを決定して、その結果をコマンドカウント手段２７がカウントする。このように、コマンドカウント手段２７は、自局も含めて同じグループに属する全ての明るさ制御端末Ａ１…から出力されたコマンドをカウントしており、そのカウント結果をもとに判断手段２９が後述の判断処理を行って、グループ内の統一コマンドをＵＰ要求、ＤＯＷＮ要求又はＳＴＡＹ要求の何れにするかを決定する。
【０１０２】
ここで、親機である明るさ制御端末Ａ１の判定処理をまとめると、コマンドカウント手段２７によりカウントされた（同じグループ内の全ての明るさ制御端末（自局を含む）から出力された）ＵＰ要求の数をＵ、ＤＯＷＮ要求の数をＤ、ＳＴＡＹ要求の数をＳとすると、Ｄ＞Ｓ且つＤ＞Ｕであればランプ負荷Ｌ１…にＤＯＷＮ要求を、Ｕ＞Ｓ且つＵ＞ＤであればＵＰ要求を送信し、上記の条件が何れも成立しなければコマンドを送信しない、という処理を実行する。この時、親機である明るさ制御端末Ａ１から各ランプ負荷Ｌ１…へは図５に示すフォーマットで信号が送信され、アドレスデータの７ビット目（明るさ制御端末かランプ負荷かの選択ビット）を０（ランプ負荷）として送信される。
【０１０３】
また、子機である明るさ制御端末Ａ２，ＡｎからＵＰ要求、ＤＯＷＮ要求又はＳＴＡＹ要求の何れも受信していない場合に、親機である明るさ制御端末Ａ１の負荷制御手段２６がＤＯＷＮ要求、ＵＰ要求又はＳＴＡＹ要求を発生した場合には、親機である明るさ制御端末Ａ１が図５に示すフォーマットで、アドレスデータの７ビット目（明るさ制御端末かランプ負荷かの選択ビット）を１とした信号を出力するようにすれば、この信号に応じて子機である明るさ制御端末Ａ２，Ａｎが上述の制御動作を開始させることができ、また同時にコマンド受信タイマ手段２８による限時動作を開始させて、限時動作中にコマンドカウント手段２７がカウント動作を行うことで、一定時間が経過した時点で判断手段２９により上述の判断処理を行わせることができる。
【０１０４】
このように、同じグループ内の明るさ制御端末Ａ１…から出力された要求信号の内、最も数の多い要求信号をこのグループの制御信号として、対応するランプ負荷Ｌ１…の動作を制御しているので、複数の明るさ制御端末Ａ１…を連動して動作させることができ、明るさ制御端末Ａ１…により制御されるランプ負荷Ｌ１…の明るさがばらつくのを防止できる。
【０１０５】
このように、本実施形態では親機である明るさ制御端末Ａ１の判断手段２９に連動手段の機能を持たせており、同じグループ内の明るさ制御端末Ａ１…から出力された制御信号の内、最も数が多い種類の制御信号をグループ内の統一した制御信号として、制御対象のランプ負荷Ｌ１…の動作を制御しているので、複数の明るさ制御端末Ａ１…を連動して動作させることができ、各々の明るさ制御端末Ａ１…で制御されるランプ負荷Ｌ１…の明るさがばらつくのを防止できる。また、各明るさ制御端末Ａ１…で明るさの目標値に対して明るいか暗いかを判定させて、ＵＰ要求又はＤＯＷＮ要求を出力させており、連動手段としての判断手段２９では、コマンドカウント手段２７のカウント値をもとに最も数の多い要求信号を統一した制御信号としているので、複雑な演算を行う必要がなく、演算能力の低い安価なマイコンで連動手段を構成できる。さらに、本実施形態では同じグループに属する明るさ制御端末Ａ１…に対応したランプ負荷Ｌ１…のグループと、明るさ制御端末Ａ１…のグループとに、各グループを指定するための別個のグループアドレスを設定しており、ランプ負荷のグループＬ１…又は明るさ制御端末Ａ１…のグループに信号を送出する際は、各々のグループに割り当てられた別個のグループアドレスとともに信号を送出することで、各々のグループを特定しているので、ランプ負荷Ｌ１…のグループ及び明るさ制御端末Ａ１…のグループに信号を送出する際に同じ信号フォーマットで通信することができ、別々の信号フォーマットを用いる場合に比べて通信処理にかかる負荷を減らすことができる。
【０１０６】
（実施形態１３）
本発明の実施形態１３を図２０を参照して説明する。本実施形態では、上述した実施形態１０の親機Ｂにおいてグループ構成記憶手段３３を無くしている。尚、グループ構成記憶手段３３以外の構成及び動作は実施形態１０と同様であるので、同一の構成要素には同一の符号を付してその説明は省略する。
【０１０７】
各明るさ制御端末Ａ１…は実施形態１０と同様の構成を有しており、親子の概念はなく、図５のフォーマットで、アドレスデータの７ビット目（明るさ制御端末かランプ負荷かの選択ビット）を１とした信号を送信する。また、ランプ負荷Ｌ１…の構成も実施形態９と同様であるので、その説明は省略する。
【０１０８】
ここで、明るさ制御端末Ａ１から、同じグループＧ１内の他の明るさ制御端末に対して図５に示すフォーマットでＤＯＷＮ要求又はＵＰ要求が送信されると、この信号を親機Ｂが受信し、コマンドカウント手段３４がグループＧ１の明るさ制御端末Ａ１…から送信されたコマンドの数をカウントするとともに、コマンド受信タイマ手段３５を起動する。そして、コマンド受信タイマ手段３５の限時動作が終了した時点で、コマンドカウント手段３４のカウント結果をもとに判断手段３６が以下の判定を行う。
【０１０９】
すなわち、あるグループＧｍに属する明るさ制御端末Ａ１…の数をＪ、グループＧｍ内の明るさ制御端末Ａ１…から送信されたコマンドの数をＫ（ＵＰ要求の数とＤＯＷＮ要求の数の和）とすると、Ｊ−Ｋ＜Ｋ、且つ、（ＤＯＷＮ要求の数）＞（ＵＰ要求の数）であればランプ負荷Ｌ１…にＤＯＷＮ要求を、Ｊ−Ｋ＜Ｋ、且つ、（ＤＯＷＮ要求の数）＜（ＵＰ要求の数）であればＵＰ要求を送信し、上記の条件が何れも成立しなければコマンドを送信しない。
【０１１０】
このように、同じグループ内の明るさ制御端末Ａ１…から出力された要求信号の内、最も数の多い要求信号をこのグループの制御信号として、対応するランプ負荷Ｌ１…の動作を制御しているので、複数の明るさ制御端末Ａ１…を連動して動作させることができ、明るさ制御端末Ａ１…により制御されるランプ負荷Ｌ１…の明るさがばらつくのを防止できる。また、本実施形態では同じグループに属する明るさ制御端末Ａ１…に対応したランプ負荷Ｌ１…のグループと、明るさ制御端末Ａ１…のグループとに、各グループを指定するための別個のグループアドレスを設定しており、ランプ負荷のグループＬ１…又は明るさ制御端末Ａ１…のグループに信号を送出する際は、各々のグループに割り当てられた別個のグループアドレスとともに信号を送出することで、各々のグループを特定しているので、ランプ負荷Ｌ１…のグループ及び明るさ制御端末Ａ１…のグループに信号を送出する際に同じ信号フォーマットで通信することができ、別々の信号フォーマットを用いる場合に比べて通信処理にかかる負荷を減らすことができる。
【０１１１】
（実施形態１４）
本発明の実施形態１４を図２１を参照して説明する。本実施形態では、上述した実施形態１１のランプ負荷Ｌ１…においてグループ構成記憶手段１５を無くしている。尚、グループ構成記憶手段１５以外の構成及び作は実施形態１１と同様であるので、同一の構成要素には同一の符号を付してその説明は省略する。
【０１１２】
本実施形態では明るさ制御端末Ａ１…に親機、子機の設定はなく、全ての明るさ制御端末Ａ１…で、負荷制御手段２６が明るさ入力手段２５の検出した明るさと明るさ目標記憶手段２３に記憶された目標値とを随時比較して、ＵＰ要求、ＤＯＷＮ要求又はＳＴＡＹ要求を出力し、通信手段２１から図５に示すフォーマットの信号で同じグループ内のランプ負荷Ｌ１…に送信している。
【０１１３】
各ランプ負荷Ｌ１…では、通信手段１１が通信線１を介して信号を受信した場合、受信した信号に含まれるアドレスが自局の個別アドレス又はグループアドレスに一致すれば、その信号の受信処理を行う。この時、受信した信号に含まれるコマンドがＤＯＷＮ要求、ＵＰ要求又ＳＴＡＹ要求であれば、コマンドカウント手段１６がコマンドの数をカウントするとともに、コマンド受信タイマ手段１７を起動させる。そして、コマンド受信タイマ手段１７が一定時間の限時動作を終了するまでに、同じグループに属する全ての明るさ制御端末Ａ１…の台数分のコマンドを受信した場合は、判断手段１８がコマンド受信タイマ手段１７による限時動作を終了して以下の判断処理を行う。また、コマンド受信タイマ手段１７が一定時間の限時動作を完了した場合は、判断手段１８が受信したコマンドをもとに以下の判断処理を行う。
【０１１４】
すなわち、コマンドカウント手段１７により一定時間内にカウントされた（同じグループ内の明るさ制御端末（自局を含む）から出力された）全てのＵＰ要求の数をＵ、ＤＯＷＮ要求の数をＤ、ＳＴＡＹ要求の数をＳとすると、Ｄ＞Ｓ且つＤ＞Ｕであればランプ負荷Ｌ１…にＤＯＷＮ要求を、Ｕ＞Ｓ且つＵ＞ＤであればＵＰ要求を送信し、上記の条件が何れも成立しなければコマンドを送信しない。
【０１１５】
このように、本実施形態では各ランプ負荷Ｌ１…の判断手段１８に連動手段の機能を持たせており、各ランプ負荷Ｌ１…では、同じグループ内の明るさ制御端末Ａ１…から出力された制御信号の内、最も数が多い種類の要求信号をグループ内の統一した制御信号として、自局のランプ１３の動作を制御しているので、複数台の明るさ制御端末Ａ１…により制御されるランプ負荷Ｌ１…の明るさがばらつくのを防止でき、各明るさ制御端末Ａ１…を連動して動作させることができる。また、本実施形態では同じグループに属する明るさ制御端末Ａ１…に対応したランプ負荷Ｌ１…のグループと、明るさ制御端末Ａ１…のグループとに、各グループを指定するための別個のグループアドレスを設定しており、ランプ負荷のグループＬ１…又は明るさ制御端末Ａ１…のグループに信号を送出する際は、各々のグループに割り当てられた別個のグループアドレスとともに信号を送出することで、各々のグループを特定しているので、ランプ負荷Ｌ１…のグループ及び明るさ制御端末Ａ１…のグループに信号を送出する際に同じ信号フォーマットで通信することができ、別々の信号フォーマットを用いる場合に比べて通信処理にかかる負荷を減らすことができる。
【０１１６】
尚、上述の各実施形態では、ランプ負荷Ｌ１…で、自局の個別アドレス又はグループアドレスと一致しないコマンドは破棄するようにしているが、ブロードキャストが規定されている場合には、全てのランプ負荷Ｌ１…を動作させることもできる。また、ランプ負荷Ｌ１…では、通信手段１１以降のランプ制御手段１４およびランプ１３は、どのようなものを使用しても良く、ランプ１３の種類に適合したランプ制御手段１４を用いればよい。また、通信手段１１，２１及び通信線１については特に説明していないが、特に制約はなくマルチドロップ接続が可能なものであれば、どのようなものを用いても良い。また、明るさ制御端末Ａ１，Ａ２，Ａｎ及び親機Ｂには商用電源ＡＣが供給されているが、通信線１を介して電源を送信するようにしても良く、この場合は明るさ制御端末Ａ１，Ａ２，Ａｎ及び親機Ｂへの電源線を無くすことができる。
【０１１７】
【発明の効果】
上述のように、請求項１の発明は、アドレスが割り当てられ、通信線に接続され、通信線を介して入力された制御信号に基づいてランプの光出力を制御するランプ制御手段を具備した複数のランプ負荷と、アドレスが割り当てられ、通信線に接続され、対応するランプ負荷の光出力を制御する制御信号を通信線に送出する複数の明るさ制御端末とで構成され、ランプ負荷及び明るさ制御端末に信号を送信する際は送信先のアドレスとともに信号を送信することで送信先を特定して通信を行う照明制御システムにおいて、複数の明るさ制御端末で１つのグループを構成し、同じグループに属する明るさ制御端末から出力された複数の制御信号をもとに、グループ内で統一した制御信号を作成し、この制御信号に基づいて対応するランプ負荷を動作させる連動手段を設けたことを特徴とし、複数の明るさ制御端末を連動して動作させる場合にも、各々の明るさ制御端末で明るさが制御されるランプ負荷に対して連動手段が統一した制御信号を決定しているので、各々のランプ負荷の明るさがばらつくのを防止でき、各明るさ制御端末を連動して動作させることができる。
【０１１８】
請求項２の発明は、請求項１の発明において、各々の明るさ制御端末は、自局の制御範囲における明るさを検出する明るさ入力手段を備え、明るさセンサの検出結果が目標値よりも暗い場合は制御信号として対応するランプ負荷の光出力を明るくするＵＰ要求を出力するとともに、目標値よりも明るい場合は制御信号として光出力を暗くするＤＯＷＮ要求を出力しており、上記連動手段は、グループ内の何れかの明るさ制御端末から制御信号が出力された時点より所定時間が経過するまでの間に、同じグループに属する明るさ制御端末から出力されたＵＰ要求及びＤＯＷＮ要求の数をそれぞれカウントするカウント手段を備え、カウント手段のカウントしたＤＯＷＮ要求の数がＵＰ要求の数よりも多く、且つ、同じグループ内で制御信号を出力した明るさ制御端末の数が出力しなかった明るさ制御端末の数よりも多ければ、ＤＯＷＮ要求を統一した制御信号とし、ＵＰ要求の数がＤＯＷＮ要求の数よりも多く、且つ、同じグループ内で制御信号を出力した明るさ制御端末の数が出力しなかった明るさ制御端末の数よりも多ければ、ＵＰ要求を統一した制御信号とすることを特徴とし、各明るさ制御端末で明るさの目標値に対して明るいか暗いかを判定させて、ＵＰ要求又はＤＯＷＮ要求を出力させており、連動手段では、カウント手段によりＵＰ要求、ＤＯＷＮ要求の数をカウントして、最も数の多い信号を統一した制御信号としているので、複雑な演算を行う必要がなく、演算能力の低い安価なマイコンで連動手段を構成できるという効果がある。
【０１１９】
請求項３の発明は、請求項１の発明において、各々の明るさ制御端末は、自局の制御範囲における明るさを検出する明るさ入力手段を備え、明るさセンサの検出結果が目標値よりも暗い場合は制御信号として対応するランプ負荷の光出力を明るくするＵＰ要求を、目標値よりも明るい場合は制御信号として光出力を暗くするＤＯＷＮ要求を、目標値と略同じ場合は制御信号として現状の光出力を維持するＳＴＡＹ要求を出力しており、上記連動手段は、グループ内の何れかの明るさ制御端末から制御信号が出力された時点より所定時間が経過するまでの間に、同じグループに属する明るさ制御端末から出力されたＵＰ要求、ＤＯＷＮ要求及びＳＴＡＹ要求の数をそれぞれカウントするカウント手段を備え、カウント手段のカウントしたＤＯＷＮ要求の数がＵＰ要求の数よりも多く、且つ、ＤＯＷＮ要求の数がＳＴＡＹ要求の数よりも多ければ、ＤＯＷＮ要求を統一した制御信号とし、ＵＰ要求の数がＤＯＷＮ要求の数よりも多く、且つ、ＵＰ要求の数がＳＴＡＹ要求の数よりも多ければ、ＵＰ要求を統一した制御信号とし、上記の条件が何れも成立しない場合はＳＴＡＹ要求を統一した制御信号とすることを特徴とし、各明るさ制御端末で明るさの目標値に対して明るいか暗いかを判定させて、ＵＰ要求、ＤＯＷＮ要求又はＳＴＡＹ要求を出力させており、連動手段では、カウント手段によりＵＰ要求、ＤＯＷＮ要求、ＳＴＡＹ要求の数をカウントして、最も数の多い信号を統一した制御信号としているので、複雑な演算を行う必要がなく、演算能力の低い安価なマイコンで連動手段を構成できるという効果がある。また、請求項２の発明は、ＵＰ要求の数と、ＤＯＷＮ要求の数と、同じグループ内で制御信号を出力していない明るさ制御端末の数とを比較しているので、予め１つのグループを構成する明るさ制御端末の台数を記憶させておく必要があるが、本発明はＵＰ要求及びＤＯＷＮ要求に加えてＳＴＡＹ要求を出力させているので、１つのグループを構成する明るさ制御端末の台数を記憶させておく必要が無く、システムの変更などにも容易に対応できる。
【０１２０】
請求項４の発明は、請求項１乃至請求項３の何れか１つの発明において、連動して動作させる複数の明るさ制御端末からなるグループと、前記グループに属する明るさ制御端末に対応した複数のランプ負荷からなるグループとに、各々のグループを特定するための別個のグループアドレスを設定し、各明るさ制御端末が所属するグループ内の明るさ制御端末に信号を送出する際は、明るさ制御端末のグループに割り当てられたグループアドレスとともに信号を送出し、連動手段が、統一した制御信号を送出する際はランプ負荷のグループアドレスとともに制御信号を送出することを特徴とし、ランプ負荷のグループ又は明るさ制御端末のグループに信号を送出する際は、各々のグループに割り当てられた別個のグループアドレスとともに信号を送出することで、各々のグループを特定しているので、ランプ負荷のグループ及び明るさ制御端末のグループに信号を送出する際に同じ信号フォーマットで通信することができ、ランプ負荷のグループに信号を送出する場合と明るさ制御端末のグループに信号を送出する場合とで別々の信号フォーマットを用いる場合に比べて通信処理にかかる負荷を減らすことができる。
【図面の簡単な説明】
【図１】実施形態１の照明制御システムの概略構成図である。
【図２】同上に用いるランプ負荷のブロック図である。
【図３】同上に用いる明るさ制御端末のブロック図である。
【図４】同上の明るさ制御端末を構成する明るさ入力手段のブロック図である。
【図５】同上に用いる信号のフォーマットである。
【図６】同上に用いる別の信号のフォーマットである。
【図７】実施形態２の照明制御システムの概略構成図である。
【図８】同上に用いる親機のブロック図である。
【図９】実施形態３の照明制御システムの概略構成図である。
【図１０】同上に用いる親機のブロック図である。
【図１１】実施形態４の照明制御システムに用いるランプ負荷のブロック図である。
【図１２】実施形態５の照明制御システムに用いる明るさ制御端末のブロック図である。
【図１３】実施形態６の照明制御システムに用いる親機のブロック図である。
【図１４】実施形態７の照明制御システムに用いる親機のブロック図である。
【図１５】実施形態８の照明制御システムに用いるランプ負荷のブロック図である。
【図１６】実施形態９の照明制御システムに用いる明るさ制御端末のブロック図である。
【図１７】同上のアドレス空間の説明図である。
【図１８】実施形態１０の照明制御システムに用いる親機のブロック図である。
【図１９】実施形態１１の照明制御システムに用いるランプ負荷のブロック図である。
【図２０】実施形態１３の照明制御システムに用いる親機のブロック図である。
【図２１】実施形態１４の照明制御システムに用いるランプ負荷のブロック図である。
【図２２】従来の照明制御システムの概略のブロック図である。
【図２３】同上に用いる明るさセンサの構成を示すブロック図である。
【図２４】同上に用いる別の明るさセンサの構成を示すブロック図である。
【図２５】同上に用いるまた別の明るさセンサの構成を示すブロック図である。
【符号の説明】
Ａ１，Ａ２，Ａｎ　明るさ制御端末
Ｌ１，Ｌ２，Ｌｍ　ランプ負荷
１　通信線
【図１】
2004063218.tif 000003
【図２】
2004063218.tif 000004
【図３】
2004063218.tif 000005
【図４】
2004063218.tif 000006
【図５】
2004063218.tif 000007
【図６】
2004063218.tif 000008
【図７】
2004063218.tif 000009
【図８】
2004063218.tif 000010
【図９】
2004063218.tif 000011
【図１０】
2004063218.tif 000012
【図１１】
2004063218.tif 000013
【図１２】
2004063218.tif 000014
【図１３】
2004063218.tif 000015
【図１４】
2004063218.tif 000016
【図１５】
2004063218.tif 000017
【図１６】
2004063218.tif 000018
【図１７】
2004063218.tif 000019
【図１８】
2004063218.tif 000020
【図１９】
2004063218.tif 000021
【図２０】
2004063218.tif 000022
【図２１】
2004063218.tif 000023
【図２２】
2004063218.tif 000024
【図２３】
2004063218.tif 000025
【図２４】
2004063218.tif 000026
【図２５】
2004063218.tif 000027